(57)【特許請求の範囲】
【請求項１】
圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備え、かつ上記第１の接続配管の所定部分と上記利用側熱交換器と上記第２の接続配管の所定部分とを接続した利用側冷媒回路部分を並列に複数備えた冷媒回路を、旧冷媒から新冷媒に置換する方法において、
上記利用側冷媒回路部分の接続配管が実質的に同径のものを組とし、冷媒置換後に上記圧縮機を駆動源として、上記複数の利用側冷媒回路部分を組毎に選択して、各々上記第１の接続配管、上記利用側熱交換器及び上記第２の接続配管に新冷媒を流して洗浄することを特徴とする冷凍サイクル装置の洗浄運転方法。
【請求項２】
圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備え、かつ上記第１の接続配管の所定部分と上記利用側熱交換器と上記第２の接続配管の所定部分とを接続した利用側冷媒回路部分を並列に複数備えた冷媒回路を、旧冷媒から新冷媒に置換する方法において、
上記利用側冷媒回路部分の接続配管が実質的に同じ長さのものを組とし、冷媒置換後に上記圧縮機を駆動源として、上記複数の利用側冷媒回路部分を組毎に選択して、各々上記第１の接続配管、上記利用側熱交換器及び上記第２の接続配管に新冷媒を流して洗浄することを特徴とする冷凍サイクル装置の洗浄運転方法。
【請求項３】
圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備え、かつ上記第１の接続配管の所定部分と上記利用側熱交換器と上記第２の接続配管の所定部分とを接続した利用側冷媒回路部分を並列に複数備えた冷媒回路を、旧冷媒から新冷媒に置換する方法において、
上記利用側冷媒回路部分の接続配管が実質的に同径でかつ同じ長さのものを組とし、冷媒置換後に上記圧縮機を駆動源として上記複数の利用側冷媒回路部分を組毎に選択して、各々上記第１の接続配管、上記利用側熱交換器及び上記第２の接続配管に新冷媒を流して洗浄することを特徴とする冷凍サイクル装置の洗浄運転方法。
【請求項４】
圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備え、かつ上記第１の接続配管の所定部分と上記利用側熱交換器と上記第２の接続配管の所定部分とを接続した利用側冷媒回路部分を並列に複数備えた冷媒回路を、旧冷媒から新冷媒に置換する方法において、
上記利用側冷媒回路部分の接続配管が配管径、配管長さとも異なる場合、配管径が近接するもの、もしくは配管長さが近接するものを組とし、冷媒置換後に上記複数の利用側冷媒回路部分を上記圧縮機を駆動源として組毎に選択して、各々上記第１の接続配管、上記利用側熱交換器及び上記第２の接続配管に新冷媒を流して洗浄することを特徴とする冷凍サイクル装置の洗浄運転方法。
【請求項５】
請求項１〜４のいずれかに記載の冷凍サイクル装置の洗浄運転方法において、
上記熱源機側熱交換器の空気流通路を開閉できる塞ぎ材を設け、冷媒置換後に上記圧縮機を駆動源として、上記熱源機側熱交換器の空気流通路を閉じて、上記第１の接続配管、上記利用側熱交換器及び上記第２の接続配管に新冷媒を流して洗浄運転することを特徴とする冷凍サイクル装置の洗浄運転方法。
【請求項６】
請求項１〜４のいずれかに記載の冷凍サイクル装置の洗浄運転方法において、
上記熱源機側熱交換器に開閉制御可能なバイパス冷媒回路を設け、冷媒置換後に上記圧縮機を駆動源として、上記バイパス回路を開にして、上記第１の接続配管、上記利用側熱交換器及び上記第２の接続配管に新冷媒を流して洗浄運転することを特徴とする冷凍サイクル装置の洗浄運転方法。
【請求項７】
請求項１〜６のいずれかに記載の冷凍サイクル装置の洗浄運転方法において、上記圧縮機を駆動源として、上記第１の接続配管、上記利用側熱交換器及び上記第２の接続配管の順に新冷媒を流して洗浄することを特徴とする冷凍サイクル装置の洗浄運転方法。
【請求項８】
請求項１〜６のいずれかに記載の冷凍サイクル装置の洗浄運転方法において、上記圧縮機を駆動源として、上記第２の接続配管、上記利用側熱交換器及び上記第１の接続配管の順に新冷媒を流して洗浄することを特徴とする冷凍サイクル装置の洗浄運転方法。
【請求項９】
請求項１〜６のいずれかに記載の冷凍サイクル装置の洗浄運転方法において、上記圧縮機を駆動源として、上記第１の接続配管、上記利用側熱交換器及び上記第２の接続配管の順に新冷媒を流して洗浄した後、さらに上記第２の接続配管、上記利用側熱交換器及び上記第１の接続配管の順に新冷媒を流して洗浄することを特徴とする冷凍サイクル装置の洗浄運転方法。
【請求項１０】
上記熱源機を新規なものとし、上記室内機、上記第1および第２の接続配管は既設のものを利用し、請求項１〜９のいずれかに記載の冷凍サイクル装置の洗浄運転方法によって洗浄運転をして構成されたことを特徴とする冷凍サイクル装置。
【請求項１１】
上記熱源機と上記室内機とを新規なものとし、上記第１および第２の接続配管は既設のものを利用し、請求項１〜９のいずれかに記載の冷凍サイクル装置の洗浄運転方法によって洗浄運転をして構成されたことを特徴とする冷凍サイクル装置。
【発明の詳細な説明】
【０００１】
【発明の属する技術分野】
本発明は、冷凍サイクル装置の冷媒の交換に関するものである。さらに詳しくは、既設の冷凍サイクル装置から熱源機を新規に交換し、あるいは熱源機と室内機とを新規に交換し、熱源機と室内機とを接続する接続配管を交換しないで、冷媒を新規に交換する冷凍サイクル装置の洗浄運転方法に関するものである。
【０００２】
【従来の技術】
従来から一般に用いられているセパレート形の冷凍サイクル装置を図１２に示す。図１２において、Ａは熱源機であり、圧縮機１、四方弁２、熱源機側熱交換器３、第１の操作弁４、第２の操作弁７、アキュムレータ８を内蔵している。Ｂは室内機であり、流量調整器５（あるいは流量制御弁５）、及び利用側熱交換器６を備えている。熱源機Ａと室内機Ｂは離れた場所に設置され、第１の接続配管Ｃ、第２の接続配管Ｄにより接続されて、冷凍サイクルを形成する。
【０００３】
第１の接続配管Ｃの一端は第１の操作弁４を介して熱源機側熱交換器３と接続され、第１の接続配管Ｃの他の一端は流量調整器５と接続されている。第２の接続配管Ｄの一端は操作弁７を介して四方弁２と接続され、第２の接続配管Ｄの他の一端は利用側熱交換器６と接続されている。また、アキュムレータ８のＵ字管状の流出配管の下部には返油穴８ａが設けられている。
【０００４】
この冷凍サイクル装置の冷媒の流れを図１２に添って説明する。図中、実線矢印が冷房運転の流れを、破線矢印が暖房運転の流れを示す。
まず、冷房運転の流れを説明する。圧縮機１で圧縮された高温高圧のガス冷媒は四方弁２を経て、熱源機側熱交換器３へと流入し、ここで空気・水など熱源媒体と熱交換して凝縮液化する。凝縮液化した冷媒は第１の操作弁４、第１の接続配管Ｃを経て流量調整器５へ流入し、ここで低圧まで減圧されて低圧二相状態となり、利用側熱交換器６で空気などの利用媒体と熱交換して蒸発・ガス化する。蒸発・ガス化した冷媒は第２の接続配管Ｄ、第２の操作弁７、四方弁２、アキュムレータ８を経て圧縮機１へ戻る。
【０００５】
次に、暖房運転の流れを説明する。圧縮機１で圧縮された高温高圧のガス冷媒は四方弁２、第２の操作弁７、第２の接続配管Ｄを経て、利用側熱交換器６へと流入し、ここで空気など利用側媒体と熱交換して凝縮液化する。凝縮液化した冷媒は流量調整器５へ流入し、ここで低圧まで減圧されて低圧二相状態となり、第１の接続配管Ｃ、第１の操作弁４を経て、熱源側熱交換器３で空気・水などの熱源媒体と熱交換して蒸発・ガス化する。蒸発・ガス化した冷媒は四方弁２、アキュムレータ８を経て圧縮機１へ戻る。
【０００６】
従来、このような冷凍サイクル装置の冷媒として、ＣＦＣ（クロロフルオロカーボン）やＨＣＦＣ（ハイドロクロロフルオロカーボン）が用いられてきたが、これらの分子に含まれる塩素が成層圏でオゾン層を破壊するため、ＣＦＣは既に全廃され、ＨＣＦＣでも生産規制が開始されている。
【０００７】
これらに替って、分子に塩素を含まないＨＦＣ（ハイドロフルオロカーボン）を使用する冷凍サイクル装置が実用化されている。ＣＦＣ・ＨＣＦＣを用いた冷凍サイクル装置が老朽化した場合、これらの冷媒は全廃・生産規制されているため、ＨＦＣ（Ｒ４０７Ｃ、Ｒ４１０Ａ等の冷媒）を用いた冷凍サイクル装置に入れ替える必要がある。
また、熱源機Ａは、ＨＦＣで使用する冷凍機油・有機材料・熱交換器がＣＦＣ、ＨＣＦＣとは異なるため、ＨＦＣ専用のものと交換する必要があり、かつ元々ＣＦＣ・ＨＣＦＣ用の熱源機Ａは老朽化しているため交換する必要があるものであり、交換も比較的容易である。
【０００８】
一方、熱源機Ａと室内機Ｂを接続する第１の接続配管と第２の接続配管Ｄは、配管長が長い場合や、パイプシャフトや天井裏などの建物に埋設されている場合には、新規配管に交換することは困難で、しかも老朽化もしないため、ＣＦＣ・ＨＣＦＣを用いた冷凍サイクル装置で使用していた第１の接続配管Ｃと第２の接続配管Ｄをそのまま使用できれば、配管工事が簡略化できる。さらに、室内機Ｂについても建物の中に数多く設置されている場合には新規に交換することは困難なため、 ＣＦＣ・ＨＣＦＣを用いた冷凍サイクル装置で使用していた室内機Ｂを使用することで、室内機Ｂの交換工事を省略できる。
【０００９】
しかし、ＣＦＣ・ＨＣＦＣを用いた冷凍サイクル装置で使用していた室内機Ｂ、第１の接続配管Ｃと第２の接続配管Ｄには、ＣＦＣ・ＨＣＦＣを用いた冷凍サイクル装置の冷凍機油である鉱油やＣＦＣ・ＨＣＦＣや冷凍機油の劣化物がスラッジとなったものが残留している。
【００１０】
図１３は、鉱油混入時のＨＦＣ用冷凍機油とＨＦＣ冷媒（Ｒ４０７Ｃ）との溶解性を示す臨海溶解度曲線を示す図で、横軸は油量（ｗｔ％）、縦軸は温度（℃）を示す。
ＨＦＣを用いた冷凍サイクル装置の冷凍機油（エステル油やエーテル油などの合成油）に鉱油が一定以上混入すると図１３に示すように、ＨＦＣ冷媒との相溶性が失われ、アキュムレータ８に液冷媒が溜まっている場合にＨＦＣ用冷凍機油が液冷媒の上に分離・浮遊するため、アキュムレータ８の下部にある返油穴８ａから圧縮機へ冷凍機油が戻らず圧縮機の摺動部が焼き付く。
また、鉱油が混入するとＨＦＣ用冷凍機油が劣化する。また、ＣＦＣ・ＨＣＦＣが混入するとこれらに含まれる塩素成分によりＨＦＣ用冷凍機油が劣化する。また、ＣＦＣ・ＨＣＦＣ用冷凍機油の劣化物がスラッジとなったものに含まれる塩素成分によりＨＦＣ用冷凍機油が劣化する。
【００１１】
このため、従来はＣＦＣやＨＣＦＣを用いた冷凍サイクル装置で使用していた第１の接続配管Ｃと第２の接続配管Ｄを、洗浄装置を用いて専用の洗浄液（ＨＣＦＣ１４１ｂやＨＣＦＣ２２５）で洗浄することが行われている（以下、これを洗浄方法１と称する）。
【００１２】
また、特開平7-83545号公報に開示された方法がある。これは、図１４に示すように、洗浄装置を用いずに、ＨＦＣ用熱源機Ａ、ＨＦＣ用室内機Ｂ、第１の接続配管Ｃ、第２の接続配管Ｄを接続し（ステップ１００）、ＨＦＣ、ＨＦＣ用冷凍機油を充填した後に（ステップ１０１）運転することで洗浄し（ステップ１０２）、その後で冷凍サイクル装置内の冷媒と冷凍機油を回収し新しい冷媒と冷凍機油を充填してから（ステップ１０３）、再度運転による洗浄を実施する、ということを所定回数繰り返す（ステップ１０４、１０５）ことが提案されている（以下、これを洗浄方法２と称する）。
【００１３】
【発明が解決しようとする課題】
上記した従来の洗浄方法１では以下に示すような問題があった。第１に、使用する洗浄液がＨＣＦＣであり、オゾン破壊係数がゼロでないため、冷凍サイクル装置の冷媒をＨＣＦＣからＨＦＣへと代替することと矛盾する。特に、ＨＣＦＣ１４１ｂはオゾン破壊係数が０．１１と大きく問題である。
【００１４】
第２に、使用する洗浄液は可燃性・毒性が完全に安全なものではないことがあげられる。ＨＣＦＣ１４１ｂは可燃性で、低毒性である。ＨＣＦＣ２２５は不燃性だが、低毒性である。
第３に沸点が高く（ＨＣＦＣ１４１ｂは３２℃、ＨＣＦＣ２２５は５１．１〜５６．１℃）、外気温がこの沸点より低い場合、特に冬期には、洗浄後に洗浄液が液状態で、第１の接続配管Ｃと第２の接続配管Ｄに残留する。これら洗浄液はＨＣＦＣであることから、塩素成分を含んでおり、ＨＦＣ用冷凍機油が劣化する。
【００１５】
第４に、洗浄液は環境上全量回収する必要があり、かつ上記第３の問題点が発生しないように高温の窒素ガスなどで再洗浄するなど、洗浄工事の手間がかかる。
第５に、室内機が複数台並列接続された場合や各室内機の接続配管の長さが異なる場合、ある室内機には十分洗浄可能な液量が確保されるが、別の室内機には洗浄するに十分な液量が確保されないなど、各室内機に流入する洗浄液量にばらつきが生じ、鉱油が多量に残留しやすくなり、洗浄性能が著しく悪化する。また、洗浄液が多量に必要となり、洗浄時間が多大に要する。特に、ＣＦＣやＨＣＦＣを用いた冷凍サイクル装置で使用していた鉱油の粘度がＨＦＣ冷凍機油のものより高い場合、洗浄時間が多大に要する。
さらに、鉱油が多量に混入することで、ＨＦＣ冷媒との非相溶が失われ、ＨＦＣ冷凍機油も劣化する。
【００１６】
また、上記の従来の洗浄方法２では、以下に示すような問題があった。第１に、ＨＦＣ冷媒による洗浄が、特開平7-83545号公報の実施例では３回必要であり、また各洗浄運転で使用したＨＦＣ冷媒は不純物を含むため、回収後その場での再利用は不可能である。つまり、通常の充填冷媒量の３倍の冷媒が必要であり、コスト・環境上問題である。
【００１７】
第２に、冷凍機油も各洗浄後に入れ替えるため、通常の充填冷凍機油量の３倍が必要であり、コスト・環境上問題である。また、ＨＦＣ用冷凍機油はエステル油またはエーテル油であり、吸湿性が高いため、交換用冷凍機油の水分管理も必要となる。
また、冷凍機油を、洗浄する人間が封入するため、過不足が生じる危険性もあり、その後の運転において支障を来す可能性がある（過充填は油圧縮による圧縮機破壊、モータ過熱をきたし、不足充填時は潤滑不良を起こす）。
【００１８】
第３に、室内機が複数台並列接続された場合や各室内機の接続配管の長さが異なる場合、ある室内機には十分洗浄可能な液量が確保されるが、別の室内機には洗浄するに十分な液量が確保されないなど、各室内機に流入する洗浄液量にばらつきが生じ、鉱油が多量に残留しやすくなり、洗浄性能が著しく悪化する。また、洗浄液が多量に必要となり、洗浄時間が多大に要する。特に、ＣＦＣやＨＣＦＣを用いた冷凍サイクル装置で使用していた鉱油の粘度がＨＦＣ冷凍機油のものより高い場合、洗浄時間が多大に要する。
第４に、鉱油が多量に混入することで、ＨＦＣ冷媒との非相溶が失われ、ＨＦＣ冷凍機油も劣化する。
【００１９】
第５に、冬期に洗浄を行うなどの熱源機の周囲温度が低い場合、ＨＦＣ冷媒が熱源機側熱交換器で凝縮してしまう為、洗浄に必要な流量が出せなくなり、その結果洗浄性能が悪化し、洗浄時間が多大に要する。
【００２０】
この発明は、上述のような従来の課題を解決するためになされたもので、環境保護上問題のないとされる冷媒に置換する冷凍サイクル装置の構成方法と冷媒の置換方法とを示し、またその冷凍サイクル装置の洗浄のための運転方法を提供しようとするものである。
【００２１】
【課題を解決するための手段】
請求項１の発明に係る冷凍サイクル装置の洗浄運転方法は、圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備え、かつ上記第１の接続配管の所定部分と上記利用側熱交換器と上記第２の接続配管の所定部分とを接続した利用側冷媒回路部分を並列に複数備えた冷媒回路を、旧冷媒から新冷媒に置換する方法において、
上記利用側冷媒回路部分の接続配管が実質的に同径のものを組とし、冷媒置換後に上記圧縮機を駆動源として、上記複数の利用側冷媒回路部分を組毎に選択して、各々上記第１の接続配管、上記利用側熱交換器及び上記第２の接続配管に新冷媒を流して洗浄運転するものである。
【００２２】
請求項２の発明に係る冷凍サイクル装置の洗浄運転方法は、圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備え、かつ上記第１の接続配管の所定部分と上記利用側熱交換器と上記第２の接続配管の所定部分とを接続した利用側冷媒回路部分を並列に複数備えた冷媒回路を、旧冷媒から新冷媒に置換する方法において、
上記利用側冷媒回路部分の接続配管が実質的に同じ長さのものを組とし、冷媒置換後に上記圧縮機を駆動源として、上記複数の利用側冷媒回路部分を組毎に選択して、各々上記第１の接続配管、上記利用側熱交換器及び上記第２の接続配管に新冷媒を流して洗浄するものである。
【００２３】
請求項３の発明に係る冷凍サイクル装置の洗浄運転方法は、圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備え、かつ上記第１の接続配管の所定部分と上記利用側熱交換器と上記第２の接続配管の所定部分とを接続した利用側冷媒回路部分を並列に複数備えた冷媒回路を、旧冷媒から新冷媒に置換する方法において、
上記利用側冷媒回路部分の接続配管が実質的に同径でかつ同じ長さのものを組とし、冷媒置換後に上記圧縮機を駆動源として上記複数の利用側冷媒回路部分を組毎に選択して、各々上記第１の接続配管、上記利用側熱交換器及び上記第２の接続配管に新冷媒を流して洗浄運転するものである。
【００２４】
請求項４の発明に係る冷凍サイクル装置の洗浄運転方法は、圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備え、かつ上記第１の接続配管の所定部分と上記利用側熱交換器と上記第２の接続配管の所定部分とを接続した利用側冷媒回路部分を並列に複数備えた冷媒回路を、旧冷媒から新冷媒に置換する方法において、
上記利用側冷媒回路部分の接続配管が配管径、配管長さとも異なる場合、配管径が近接するもの、もしくは配管長さが近接するものを組とし、冷媒置換後に上記複数の利用側冷媒回路部分を上記圧縮機を駆動源として組毎に選択して、各々上記第１の接続配管、上記利用側熱交換器及び上記第２の接続配管に新冷媒を流して洗浄運転するものである。
【００２５】
請求項５の発明に係る冷凍サイクル装置の洗浄運転方法は、圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備えた冷媒回路を、旧冷媒から新冷媒に置換する方法において、
上記熱源機側熱交換器の空気流通路を開閉できる塞ぎ材を設け、冷媒置換後に上記圧縮機を駆動源として、上記熱源機側熱交換器の空気流通路を閉じて、上記第１の接続配管、上記利用側熱交換器及び上記第２の接続配管に新冷媒を流して洗浄運転するものである。
【００２６】
請求項６の発明に係る冷凍サイクル装置の洗浄運転方法は、圧縮機、熱源機側熱交換器、利用側熱交換器、上記熱源機側熱交換器と上記利用側熱交換器の一端とを接続する第１の接続配管、上記利用側熱交換器の他端と上記圧縮機とを接続する第２の接続配管を備えた冷媒回路を、旧冷媒から新冷媒に置換する方法において、
上記熱源機側熱交換器に開閉制御可能なバイパス冷媒回路を設け、冷媒置換後に上記圧縮機を駆動源として、上記バイパス回路を開にして、上記第１の接続配管、上記利用側熱交換器及び上記第２の接続配管に新冷媒を流して洗浄運転するものである。
【００２７】
請求項７の発明に係る冷凍サイクル装置の洗浄運転方法は、請求項１〜６のいずれかに記載の冷凍サイクル装置の洗浄運転方法において、上記圧縮機を駆動源として、上記第１の接続配管、上記利用側熱交換器及び上記第２の接続配管の順に新冷媒を流して洗浄運転するものである。
【００２８】
請求項８の発明に係る冷凍サイクル装置の洗浄運転方法は、請求項１〜６のいずれかに記載の冷凍サイクル装置の洗浄運転方法において、上記圧縮機を駆動源として、上記第２の接続配管、上記利用側熱交換器及び上記第１の接続配管の順に新冷媒を流して洗浄運転するものである。
【００２９】
請求項９の発明に係る冷凍サイクル装置の洗浄運転方法は、請求項１〜６のいずれかに記載の冷凍サイクル装置の洗浄運転方法において、上記圧縮機を駆動源として、上記第１の接続配管、上記利用側熱交換器及び上記第２の接続配管の順に新冷媒を流して洗浄した後、さらに上記第２の接続配管、上記利用側熱交換器及び上記第１の接続配管の順に新冷媒を流して洗浄運転するものである。
【００３０】
請求項１０の発明に係る冷凍サイクル装置は、上記熱源機を新規なものとし、上記室内機、上記第1および第２の接続配管は既設のものを利用し、請求項１〜９のいずれかに記載の冷凍サイクル装置の洗浄運転方法によって洗浄運転をして構成されたものである。
【００３１】
請求項１１の発明に係る冷凍サイクル装置は、上記熱源機と上記室内機とを新規なものとし、上記第１および第２の接続配管は既設のものを利用し、請求項１〜９のいずれかに記載の冷凍サイクル装置の洗浄運転方法によって洗浄運転をして構成されたものである。
【００３２】
【発明の実施の形態】
以下、図面を参照してこの発明の実施の形態について説明する。なお、各図中、同一又は相当する部分については、同一符号を付してその説明を適宜省略または簡略化する。
実施の形態１．
図１は、この発明の実施の形態１による冷凍サイクル装置の一例として、冷媒置換を行なった冷凍サイクル装置の冷媒回路を示す図である。
図１において、Ａは熱源機であり、圧縮機１、四方弁２、熱源機側熱交換器３、第１の操作弁４、第２の操作弁７、アキュムレータ８、油分離器９（油分離手段）、及び異物捕捉手段１３を内蔵している。
【００３３】
油分離器９は、圧縮機１の吐出配管に設けられ、圧縮機１から冷媒とともに吐出される冷凍機油を分離する。異物捕捉手段１３は、四方弁2とアキュムレータ８の間に設けられている。９ａは油分離器９の底部より端を発し、異物捕捉手段１３の出口下流の冷媒配管に至るバイパス路である。また、アキュムレータ８のＵ字管状の流出配管の下部には返油穴８ａが設けられている。
【００３４】
Ｂｉはｉ番目の室内機であり、流量調整器５ｉ（あるいは流量調整弁５ｉ）、及び利用側熱交換器６ｉを備えている。
【００３５】
Ｃは、第１の接続配管であり、その一端は第１の操作弁４を介して熱源機側熱交換器３と接続され、他の一端は、第１の接続配管の分岐配管Ｃｉを介してｉ番目の流量調整器５ｉと接続されている。
Ｄは、第２の接続配管であり、その一端は第２の操作弁７を介して四方弁２と接続され、他の一端は第２の接続配管の分岐配管Ｄｉを介して利用側熱交換器６ｉと接続されている。１８ａｉは、第１の接続配管の分岐配管Ｃｉと室内機Ｂｉとの間に設けられた第５の電磁弁である。
【００３６】
熱源機Ａと室内機Ｂは離れた場所に設置され、第１の接続配管Ｃ、第２の接続配管Ｄにより接続されて、冷凍サイクルを形成する。
なお、この冷凍サイクル装置は冷媒としてＨＦＣ（以下適宜、新冷媒と称する）を使うものである。
【００３７】
図１に示す冷媒回路は、室内機Ｂｉを複数台並列に備えている。第1の接続配管Ｃは、それぞれの室内機Ｂｉに冷媒を流通させるための分岐配管Ｃｉを部分として有している。第２の接続配管Ｄも同様である。第１の接続配管Ｃの所定部分（分岐配管Ｃｉ）と利用側熱交換器６と第２の接続配管Ｄの所定部分（分岐配管Ｄｉ）との接続を利用側冷媒回路部分と称することにすると、図１に示す冷媒回路は、この利用側冷媒回路部分を並列に複数備えている。表現を変えれば、利用側熱交換器６とこの利用側熱交換器６に接続された第1および第２の接続配管の所定部分（分岐配管Ｃｉ，Ｄｉ）を含む利用側冷媒回路部分を複数並列に備えている。
なお、この明細書において、複数の利用側冷媒回路部分を構成する各要素（例えば室内機）を総称して符号で示すときは添字なしで（例えば室内機Ｂ）、任意のものあるいは特定のものを指すときはｉを添字にして（例えば室内機Ｂｉ）表わすこととする。
【００３８】
冷凍サイクル装置交換の手順：
次に、ＣＦＣ、ＨＣＦＣ（旧冷媒）を使った冷凍サイクル装置が老朽化した場合の冷凍サイクル装置交換の手順を示す。既存の冷凍サイクル装置からＣＦＣ又はＨＣＦＣを回収し、熱源機Ａと室内機Ｂを図１に示すＨＦＣを用いるものに交換する。第１の接続配管Ｃと第２の接続配管Ｄは、ＨＣＦＣを使った冷凍サイクル装置のものを再利用する。そして、図１に示す冷媒回路を形成する。
【００３９】
熱源機Ａには予めＨＦＣが充填されているので、第１の操作弁４と第２の操作弁７は閉じたまま、室内機Ｂ、第１の接続配管Ｃ、第２の接続配管Ｄを接続状態で真空引きをし、その後第１の操作弁４と第２の操作弁７の開弁とＨＦＣの追加充填を実施する。その後、まず洗浄運転を実施し、その後通常の空調運転を実施する。
【００４０】
洗浄運転の方法：
次に、洗浄運転の内容を図１に添って説明する。図中、実線矢印が冷房洗浄運転の流れを、破線矢印が暖房洗浄運転の流れを示す。
冷房洗浄運転：
まず、冷房洗浄運転の流れを説明する。洗浄運転開始前に、各室内機Ｂｉに設けられた制御基板上のマイコンにより各室内機Ｂｉの容量が分かり、その容量で各利用側冷媒回路部分の接続配管径がおおよそ予想でき、それぞれｉ番目の利用側冷媒回路部分に接続された配管径が一意的に求められる。
ここで、求められた各室内機Ｂｉの利用側冷媒回路部分の配管径により実質的に同一の配管径のものを組として一纏めにして、その中の１組を選択する。選択された組の室内機Ｂｉの第５の電磁弁１８ａｉのみを開弁し、残りの室内機Ｂｉの第５の電磁弁１８ａｉを閉弁して洗浄運転を開始する。
【００４１】
また、予め各室内機Ｂｉの接続配管の長さが分かっている場合も、上記同様に実質的に同一の配管長のものを組として一纏めにして、その中の１組を選択し、洗浄運転をする。
【００４２】
上記のように、本発明では、各室内機Ｂｉに接続された複数の利用側冷媒回路部分の接続配管の径および長さが同じでない場合、これを実質的に同径であるか同長であるかなどによって、複数の利用側冷媒回路部分を複数の組に分ける。そして組ごとに冷媒を流通させて洗浄運転をする。このようにすれば、同時に冷媒を流通させている複数の利用側冷媒回路部分の配管抵抗が実質的に同じになり、冷媒の流通分布を均等にすることができる。
【００４３】
さて、圧縮機１で圧縮された高温高圧のガス冷媒は、ＨＦＣ用冷凍機油と共に圧縮機１を吐出され、油分離器９へ流入する。ここで、ＨＦＣ用冷凍機油は完全に分離され、ガス冷媒のみが四方弁２を経て、熱源機側熱交換器３へと流入し、ここで空気・水など熱源媒体と熱交換して凝縮液化する。凝縮液化した冷媒は、第１の操作弁４を経て、第１の接続配管Ｃに流入する。
【００４４】
ＨＦＣの液冷媒が第１の接続配管Ｃを流れるときに、第１の接続配管Ｃに残留しているＣＦＣ・ＨＣＦＣ・鉱油・鉱油劣化物（以下残留異物と称する）を少しずつ洗浄してＨＦＣの液冷媒と共に流れ、選択された各室内機Ｂｉの流量調整器５ｉへ流入し、ここで低圧まで減圧されて低圧二相状態となり、利用側熱交換器６ｉで空気などの利用媒体と熱交換して蒸発・ガス化する。
【００４５】
蒸発・ガス化した冷媒は、第１の接続配管Ｃ及びその分岐配管Ｃｉの残留異物とともに第２の接続配管Ｄｉ，Ｄに流入する。第２の接続配管Ｄｉ，Ｄに残留している残留異物は、ここを流れる冷媒がガス状のため、配管内面に付着した残留異物の一部は、ガス冷媒中にミスト状になって流れるが、大半の液状残留異物はガス・液境界面に発生するせん断力によりガス冷媒に引きづられる形で、配管内面を環状に流れる為、洗浄時間は第１の接続配管Ｃ，Ｃｉよりは遅いが、確実に洗浄される。
【００４６】
その後、蒸発・ガス化した気液二相状態の冷媒は、第１の接続配管Ｃ、その分岐配管Ｃｉの残留異物と第２の接続配管Ｄｉ，Ｄの残留異物と共に、第２の操作弁７、四方弁２を経て異物捕捉手段１３へ流入する。残留異物は、沸点の違いにより相が異なり、固体異物・液体異物・気体異物の３種類に分類される。
【００４７】
異物捕捉手段１３では、固体異物と液体異物は完全にガス冷媒と分離され捕捉される。気体異物はその一部が捕捉され、一部は捕捉されない。その後、ガス冷媒は、異物捕捉手段１３で捕捉されなかった気体異物と共にアキュムレータ８を経て圧縮機１に戻る。
このような洗浄運転を他の組についても行い、室内機Ｂｉすべてについて同様の操作を行う。
【００４８】
なお、冷房運転時の冷媒回路、すなわち、圧縮機１から熱源機側熱交換器３と流量調整器５ｉと利用側熱交換器６ｉとアキュムレータ８とを順次に経て再び圧縮機に戻る冷媒回路を、本明細書では、第１の冷媒回路とする。
【００４９】
油分離器９で、ガス冷媒と完全に分離されたＨＦＣ用冷凍機油は、バイパス路９ａを経て、異物捕捉手段１３の下流で本流と合流して、圧縮機１に戻るので、第１の接続配管Ｃや第２の接続配管Ｄに残留していた鉱油と混ざることはなく、ＨＦＣ用冷凍機油はＨＦＣに対して非相溶化することはなく、またＨＦＣ用冷凍機油は鉱油により劣化することはない。
【００５０】
また、固形異物もＨＦＣ用冷凍機油と混合することはなく、ＨＦＣ用冷凍機油を劣化しない。また、気体異物はＨＦＣ冷媒が冷媒回路を１サイクル循環して、異物捕捉手段１３を１回通る間には一部が捕捉されるだけで、ＨＦＣ用冷凍機油と気体異物は混合されるが、ＨＦＣ用冷凍機油の劣化は化学反応で、急激には進まない。
【００５１】
その劣化の一例を図２に示す。図２は、ＨＦＣ用冷凍機油に塩素が混入している場合（１７５℃）の劣化の時間変化を示す図で、横軸は時間（ｈｒ）、縦軸は全酸化（ｍｇＫＯＨ／ｇ）を示す。
異物捕捉手段を１回通る間に捕捉されなかった気体異物は、ＨＦＣ冷媒の循環と共に何回も異物捕捉手段１３を通るので、ＨＦＣ用冷凍機油の劣化するよりも遅く、異物捕捉手段１３で捕捉すればよい。
【００５２】
暖房洗浄運転：
次に暖房洗浄運転の流れを説明する。
各室内機Ｂｉの配管径により実質的に実質的に同一の配管径のものを組として一纏めにして、その中の１組を選択する。選択された組の室内機Ｂｉの第５の電磁弁１８ａｉのみを開弁し、残りの室内機Ｂｉの第５の電磁弁を閉弁して洗浄運転を開始する。
また、予め各室内機Ｂｉの接続配管の長さが分かっている場合も、上記同様に実質的に同一の配管長のものを組として一纏めにして、その中の１組を選択し、洗浄運転をする。
【００５３】
圧縮機１で圧縮された高温高圧のガス冷媒はＨＦＣ用冷凍機油と共に圧縮機１を吐出され、油分離器９へ流入する。ここで、ＨＦＣ用冷凍機油は完全に分離され、ガス冷媒のみが四方弁２、第２の操作弁７を経て第２の接続配管Ｄへ流入する。
【００５４】
第２の接続配管Ｄに残留している残留異物は、ここを流れる冷媒がガス状のため、配管内面に付着した残留異物の一部は、ガス冷媒中にミスト状になって流れるが、大半の液状残留異物はガス・液境界面に発生するせん断力によりガス冷媒に引きづられる形で、配管内面を環状に流れる為、洗浄時間は第１の接続配管Ｃよりは遅いが、確実に洗浄される。
【００５５】
その後、ガス冷媒は、第２の接続配管Ｄの残留異物と共に、選択された各室内機Ｂｉの利用側熱交換器６ｉへと流入し、ここで空気など利用側媒体と熱交換して完全に凝縮液化する。凝縮液化した冷媒は流量調整器５ｉへ流入し、ここで低圧まで減圧されて低圧二相状態となり、第１の接続配管Ｃに流入する。流入した冷媒は気液二相状態のため、流速も速く、かつ液冷媒と共に、残留異物は洗浄され、冷房運転時の第１の接続配管Ｃより速い速度で洗浄される。
【００５６】
第２の接続配管Ｄ，Ｄｉおよび第１の接続配管Ｃｉ，Ｃから洗浄された異物と共に、気液二相状態の冷媒は、第１の操作弁４を経て、熱源機側熱交換器３で空気・水などの熱源媒体と熱交換して蒸発・ガス化する。蒸発・ガス化した冷媒は、四方弁２を経て異物捕捉手段１３へ流入する。
【００５７】
残留異物は、沸点の違いにより相が異なり、固体異物・液体異物・気体異物の３種類に分類される。異物捕捉手段１３では、固体異物と液体異物は完全にガス冷媒と分離され捕捉される。気体異物はその一部が捕捉され、一部は捕捉されない。その後、ガス冷媒は、異物捕捉手段１３で捕捉されなかった気体異物と共にアキュムレータ８を経て圧縮機１へ戻る。
【００５８】
このような洗浄運転を他の組についても行い、室内機Ｂｉすべてについて同様の操作を行う。
【００５９】
なお、暖房洗浄運転時の冷媒回路、すなわち、圧縮機１から利用側熱交換器６ｉと流量調整器５ｉと熱源機側熱交換器３とアキュムレータ８とを順次に経て再び圧縮機に戻る冷媒回路を、本明細書では、第２の冷媒回路とする。
【００６０】
油分離器９で、ガス冷媒と完全に分離されたＨＦＣ用冷凍機油は、バイパス路９ａを経て、異物捕捉手段１３の下流で本流と合流して、圧縮機１に戻るので、第１の接続配管Ｃや第２の接続配管Ｄに残留していた鉱油と混ざることはなく、ＨＦＣ用冷凍機油はＨＦＣに対して非相溶化することはなく、またＨＦＣ用冷凍機油は鉱油により劣化することはない。
【００６１】
また、固形異物もＨＦＣ用冷凍機油と混合することはなく、ＨＦＣ用冷凍機油を劣化しない。また、気体異物はＨＦＣ冷媒が冷媒回路を１サイクル循環して、異物捕捉手段１３を１回通る間には一部が捕捉されるだけで、ＨＦＣ用冷凍機油と気体異物は混合されるが、ＨＦＣ用冷凍機油の劣化は化学反応で、急激には進まない。
その劣化の一例を図２に示す。異物捕捉手段を１回通る間に捕捉されなかった気体異物は、ＨＦＣ冷媒の循環と共に何回も異物捕捉手段１３を通るので、ＨＦＣ用冷凍機油の劣化するよりも遅く、異物捕捉手段１３で捕捉すればよい。
【００６２】
異物捕捉手段について：
次に、異物捕捉手段１３の一例について説明する。図３は、異物捕捉手段１３の一例の断面構造を図示したものである。図３において、５１は円筒状の容器、５２は容器５１の上部に設けられた流出配管、５３は容器５１の上部内面に、円錐の扇状の側面形状に形成・設置されたフィルタ、５４は容器５１に予め充填されている鉱油、５５は容器５１の下部側面に設けられた流入配管、５５ａは流入配管５５の容器５１の内部にある部分の配管側面に多数設けられた流出穴である。
【００６３】
フィルタ５３は、例えば細線を編み込んだメッシュ状のもの、もしくは焼結金属で形成され、各隙間は数ミクロンから数十ミクロンで、これ以上の固形異物が通過することはできない。また、容器５１の上部空間に微量存在する可能性のあるミスト状の液体異物も、フィルタ５３を通過しようとすると、ここで捕捉され、重力により容器側面方向に流れて容器５１の下部に落下する。５６は塩素イオンを捕捉するイオン交換樹脂である。
図１においては、流出配管５２はイオン交換樹脂５６を経てアキュムレータ８に、流入配管５５は四方弁２に接続されている。
【００６４】
流入配管５５により流入した冷媒ガスは、流出穴５５ａを経て、鉱油５４の中を泡状になって通過し、フィルタ５３、イオン交換樹脂５６を経て、流出配管５２より流出する。
流出配管５５より冷媒ガスと共に流入した固形異物は、流出穴５５ａより鉱油５４の中へ流出後に、鉱油５４が抵抗になって速度が低下し、重力により、容器５１の底部に沈澱する。
また、鉱油５４がなくても、容器５１の断面積は流入配管５５の断面積より大きく、容器５１の内部に入ると、冷媒（気体）の流速が低下するので、固形異物は重力の作用により冷媒（気体）と分離され、容器５１の下部に沈澱する。
また、鉱油５４の中でガス流速が大きく、鉱油５４の上部まで、固形異物が万一吹き上げられても、フィルタ５３により捕捉される。
【００６５】
流入配管５５によりガス冷媒と共に流入した液体異物は、流出穴５５ａより鉱油５４の中へ流出後に、鉱油５４が抵抗になって速度が低下し、気液分離されて、鉱油５４ｔ共に滞留する。
また、鉱油５４がなくても、容器５１の断面積は流入配管５５の断面積よりも大きく、鉱油５１の内部に入ると、冷媒（気体）の流速が低下するので、液体異物は重力の作用により冷媒（気体）と分離され、容器５１の下部に滞留する。
また、鉱油５４の中でガス流速が大きく、鉱油５４の液面が乱れて、鉱油５４がミスト状になり、ガス冷媒の流れにのったとしても、フィルタ５３により捕捉され、前述のようにここで捕捉され重力により容器１の側面方向に流れて容器５１の下部に落下する。
【００６６】
流入配管５５によりガス冷媒と共に流入した気体異物は、流出穴５５ａを経て、鉱油５４の中を泡状になって通過し、フィルタ５３、イオン交換樹脂５６を経て流出配管５２より流出する。気体異物中の主成分はＣＦＣまたはＨＣＦＣだが、これらは鉱油５４に溶解する。溶解の一例を図４に示す。図４（ａ）は鉱油とＨＣＦＣとの溶解度曲線、図４（ｂ）は鉱油とＣＦＣとの溶解度曲線を示す図である。図において、横軸は温度（℃）、縦軸はＣＦＣまたはＨＣＦＣの圧力(ｋｇ／ｃｍ2)  であり、ＣＦＣまたはＨＣＦＣの濃度（ｗｔ％）をパラメータとして溶解度曲線を示している。
流入配管５５によりガス冷媒と共に流入した気体異物は、流出穴５５ａを経て、鉱油５４の中を泡状になることで、鉱油５４との接触が増え、ＣＦＣやＨＣＦＣはより確実に鉱油５４に溶解する。しかし、ＨＦＣは鉱油には溶解しないので、全てが流出配管５２から流出される。このようにして、容器５１の内部で固体異物と液体異物は完全に分離され捕捉される。また、気体異物の主成分であるＣＦＣ，ＨＣＦＣも何回かこの部分を通過する間に、大部分が溶解し捕捉される。また、残留異物中のＣＦＣやＨＣＦＣ以外の塩素成分は、冷媒回路中では微量に存在する水に溶けて塩素イオンとして存在するので、何回かイオン交換樹脂５６を通過することにより捕捉される。
【００６７】
油分離器について：
次に、油分離器９について説明する。高性能油分離器の例としては、実公平5-19721号公報に示されたものがある。図５にその内部構造を断面図で示す。７１は上シェル７１ａ及び下シェル７１ｂにより構成される円筒胴体部を有する密閉容器、７２は先端に網状体７３を有する入口配管であり、入口配管７２は上シェル７１ａの中央部を貫通して容器７１内に突出するように取付けられ、冷媒を流入させる。７８は網状体７３の上部に設けられた、多数の小孔を有するパンチングメタルなどにより構成される円形の均速板、７９は均速板７８の上部に形成される上部空間であり、冷媒流出空間となるものである。７４は冷媒流出空間７９に端部を持つ冷媒出口配管、７７は排油管である。
【００６８】
このような、高性能油分離器を直列に複数個接続することで、分離効率１００％の油分離器を得ることができる。
図６に、図５の構造の油分離器におけるガス冷媒の流速と分離効率の実験結果を示す。図６において、横軸は容器内平均流速（ｍ／ｓ）、縦軸は分離効率（％）を示す。
【００６９】
直列分離器の最初の油分離器の内径を最大の速度が０．１３ｍ／ｓ以下となるようにすることで、一般に圧縮機１から吐出される冷凍機油は冷媒流量比で０．０５ｗｔ％以下となっている。
この比率では、ガス冷媒と冷凍機油の気液二層流の流動様式は噴霧流となっているので、２番目の油分離器も同径以上とし、かつ流入配管のメッシュを焼結金属などの目を非常に細かくすることで、完全に冷凍機油を分離することができる。このように、既存の油分離器の寸法を調整したり、複数個組み合わせることで、分離効率１００％の油分離機を実現することは可能であり、図１に示す油分離器９はこのようなものである。
【００７０】
図１においては、直列に接続された複数個の油分離器の最初の入口配管７２が圧縮機１の下流に接続され、最後の出口配管７４が四方弁２の上流に接続される。
【００７１】
作用：
以上のように、油分離器９と異物補足手段１３を熱源機Ａに内蔵し、さらに第１の接続配管Ｃと各室内機Ｂｉの間に第５の電磁弁１８ａｉを設け、熱源機Ａと室内機Ｂのみを新規に交換し、第１の接続配管Ｃと第２の接続配管Ｄを交換しないで、老朽化したＣＦＣ、ＨＣＦＣを用いた冷凍サイクル装置を新しいＨＦＣを用いた冷凍サイクル装置に入れ替えることが出来る。このような方法によれば、既設配管再利用方法として、前記の従来の洗浄方法１とは違って、洗浄装置を用いて専用の洗浄液（ＨＦＣ１４１ｂ、ＨＣＦＣ２２５）で洗浄するということをしないので、オゾン層破壊の可能性は全く無く、また可燃性、毒性も皆無で、洗浄液の残留の懸念も無く、洗浄液を回収する必要も無い。
【００７２】
また、前記従来の洗浄方法とは違って、洗浄運転を３回、ＨＦＣ冷媒やＨＦＣ冷凍機油を３回入れ替える必要が無いため、必要なＨＦＣ冷媒やＨＦＣ冷凍機油は１台分で済むため、コスト・環境上有利である。また、交換用冷凍機油の管理も不要で、かつ冷凍機油過不足の危険性も全く発生しない。また、ＨＦＣ用冷凍機油の非相溶化や冷凍機油の劣化の恐れも無い。
【００７３】
また、第５の電磁弁１８ａｉを設けたことで、各室内機Ｂｉの接続配管径、配管長が異なる場合でも、接続配管径もしくは接続配管長によりもしくはその両方により、複数並列の利用側冷媒回路部分の接続配管を組に分けて、その中から選択された一組の室内機Ｂｉの第５の電磁弁１８ａｉのみを開弁し、残りの室内機Ｂｉの第５の電磁弁１８ａｉを閉弁すると、開弁した配管にすべての冷媒が流れるので、その室内機Ｂｉには洗浄するに十分な質量速度が確保され、洗浄効果が高く、洗浄時間を短くすることが出来る。
【００７４】
この実施の形態では、熱源機側熱交換器３と直列または並列に氷蓄熱槽や水蓄熱槽（湯を含む）が設置されても同様の効果を奏することは明らかである。また、熱源機Ａが複数台並列に接続された冷凍サイクル装置においても同様の効果を奏することは明らかである。
また、冷凍サイクル装置に限らず、蒸気圧縮式の冷凍サイクル応用品で、熱源機側熱交換器３が内蔵されたユニットと利用側熱交換器６が内蔵されたユニットが離れて設置されるものであれば、同様の効果を奏することは明らかである。
【００７５】
以上説明した実施の形態１の構成の一側面を要約すると次のとおりである。
この冷凍サイクル装置は、圧縮機から熱源機側熱交換器と流量調整器と利用側熱交換器とアキュムレータとを順次に経て上記圧縮機に冷媒を循環させる第１の冷媒回路と、上記圧縮機から上記利用側熱交換器と上記流量調整器と上記熱源機側熱交換器と上記アキュムレータとを順次に経て上記圧縮機に冷媒を循環させる第２の冷媒回路とを備えている。
さらに、上記第１の冷媒回路の上記利用側熱交換器と上記アキュムレータとの間でかつ、上記第２の冷媒回路の上記熱源機側熱交換器と上記アキュムレータとの間に、冷媒中の異物を捕獲する異物捕捉手段を備えている。さらに、上記第１の冷媒回路の上記圧縮機と上記熱源機側熱交換器との間でかつ、上記第２の冷媒回路の上記圧縮機と上記利用側熱交換器との間に、冷媒の油成分を分離する油分離手段を備えている。また、上記第１の冷媒回路の上記熱源側熱交換器と上記流量調整器との間でかつ、上記第２の冷媒回路の上記流量調整器と上記熱源機側熱交換器との間に、各室内機への冷媒の切換えを行う第５の電磁弁を有する冷媒切換え手段を備えている。
【００７６】
洗浄運転の制御方法：
次に、この実施の形態１による冷凍サイクル装置について、冷媒置換後の洗浄運転の制御方法について説明する。
（１）第１の制御方法
実施の形態１の冷凍サイクル装置の洗浄運転の第１の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、冷房運転を実施する。
この第１の制御方法では、選択された室内機Ｂｉについて、図１の実線矢印のように、圧縮機１を駆動源して、冷媒を圧縮機１から熱源機側熱交換器３を経て、第1の接続配管Ｃ，Ｃｉに通し、流量調整器５と利用側熱交換器６を経て、第２の接続配管Ｄｉ，Ｄへ通し、さらに異物捕捉手段１３とアキュムレータ８を経て圧縮機1へと流して洗浄する。さらに、同様の操作を他の組の室内機Ｂｉについて行う。
【００７７】
上記のように、室内機が複数台並列接続された場合には、第1および第２の接続配管のｉ番目の分岐配管Ｃｉ，Ｄｉに供給する冷媒が気液二相状態の場合、各室内機Ｂｉに分岐する分岐部で、気液が偏って分配されるのが一般的である。したがって、ある室内機Ｂｉには洗浄に十分な質量速度の冷媒が確保されるが、別の室内機Ｂｉには洗浄に十分な質量速度の冷媒が確保されないということが発生し得る。
【００７８】
そこで、各室内機Ｂｉのうち、実質的に同じ接続配管径の各組から選択された室内機Ｂｉの第５の電磁弁１８ａｉだけを開弁し、残りの室内機Ｂｉの第５の電磁弁１８ａｉを閉弁すると、開弁した配管にすべての冷媒が流れるので、その室内機Ｂｉには十分な質量速度の冷媒が確保される。
他の組の第５の電磁弁１８ａｉについても同様に室内機Ｂｉ毎に順次開弁していくことで、すべての室内機Ｂｉに洗浄に十分な質量速度の冷媒が確保されることになり、第１、第２の接続配管Ｃ，Ｄの鉱油は十分に洗浄される。さらに、第1、第２の接続配管のｉ番目の分岐配管Ｃｉ，Ｄｉの残留異物のばらつきも無くなり、洗浄時間も短くなる。
【００７９】
ＨＦＣ冷媒の一種であるＲ４０７Ｃを液または気液二相状態で複数並列接続された配管内の鉱油を洗浄した場合の組み合わせ方法による洗浄時間と配管内残留量の関係を図７に示す。図７において、横軸は洗浄時間、縦軸は配管内鉱油残留量を示す。この図７からも分かるように、同じ接続配管径の各組から選択する程、組み合わせをしない場合より洗浄効果は高いことが示されている。
【００８０】
また、冷媒交換前のＣＦＣやＨＣＦＣを使った冷凍サイクル装置では、第１の接続配管Ｃ、第1の接続配管のｉ番目の分岐配管Ｃｉは冷房運転でも暖房運転でも液冷媒単相状態もしくは気液二相状態であり、ここには鉱油はあまりたくさん分布していない。
一方、第２の接続配管Ｄ，Ｄｉは、冷房運転でも暖房運転でもガス単相状態であり、鉱油は液膜状に管壁内部をガス冷媒に引きずられるように流れるため、ここには鉱油が多く分布する。したがって、前述のように洗浄運転の最初に第１の接続配管Ｃを上流に、第２の接続配管Ｄを下流になるようにすることで、第２の接続配管Ｄ，Ｄｉに多く分布している鉱油を第１の接続配管Ｃｉ，Ｃに混入させることなく、異物補捕捉手段１３に回収することができる。
これにより、洗浄時間が短くできる上に、第１、第２の接続配管Ｃ、Ｄに残留する鉱油の量を低減することができる。
【００８１】
（２）第２の制御方法
実施の形態１の冷凍サイクル装置の洗浄運転の第２の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、暖房運転を実施する。
この第２の制御方法では、選択された室内機Ｂｉについて、図１の破線矢印のように、圧縮機１を駆動源として、冷媒を圧縮機１から第２の接続配管Ｄ，Ｄｉへ通し、利用側熱交換器６と流量調整器５を経て、第1の接続配管Ｃｉ，Ｃに通し、熱源機側熱交換器３を経てさらに異物捕捉手段１３とアキュムレータ８を経て圧縮機1へと流して洗浄する。さらに、同様の操作を他の組の室内機Ｂｉについて行う。
【００８２】
以上のように、室内機が複数台並列接続された場合には、第1および第２の接続配管のｉ番目の分岐配管Ｃｉ，Ｄｉに供給する冷媒が気液二相状態の場合、各室内機Ｂｉに分岐する分岐部で、気液が偏って分配されるのが一般的である。したがって、ある室内機Ｂｉには洗浄に十分な質量速度の冷媒が確保されるが、別の室内機Ｂｉには洗浄に十分な質量速度の冷媒が確保されないということが発生し得る。
【００８３】
そこで、接続配管径により選択された組の室内機Ｂｉの第５の電磁弁１８ａｉだけを開弁し、残りの室内機Ｂｉの第５の電磁弁１８ａｉを閉弁すると、開弁した配管にすべての冷媒が流れるので、その室内機Ｂｉには十分な質量速度の冷媒が確保される。
他の組の第５の電磁弁１８ａｉについても同様に室内機Ｂｉ毎に順次開弁していくことで、すべての室内機Ｂｉに洗浄に十分な質量速度の冷媒が確保されることになり、第１、第２の接続配管Ｃ，Ｄの鉱油は十分に洗浄される。さらに、第1，第２の接続配管のｉ番目の分岐配管Ｃｉ，Ｄｉの残留異物のばらつきも無くなり、洗浄時間も短くなる。
【００８４】
この第２の制御方法では、第２の接続配管Ｄ，Ｄｉ、第1の接続配管Ｃｉ，Ｃの順に冷媒を流して洗浄することになる。
一般に、実施の形態１の図１に示す冷凍サイクル装置では、第1の接続配管のｉ番目の分岐配管Ｃｉの方が第２の接続配管のｉ番目の分岐配管Ｄｉより、また第１の接続配管Ｃの方が第２の接続配管Ｄよりも配管内径が小さい。これは、冷房運転において第２の接続配管Ｄｉ，Ｄでの摩擦損失の大小は蒸発温度に関係し冷房能力への影響が大きいため可能な限り太くするのに対して、第1の接続配管Ｃｉ，Ｃでの摩擦損失は蒸発温度や凝縮温度へ直接与える影響はなく、むしろここを流れる冷媒が液単相または気液二相であることから冷媒充填量を増加させない観点から可能な限り細くするためである。
【００８５】
既に説明したように、図７に複数並列接続された配管の組み合わせ方法による洗浄時間と配管内鉱油残留量との関係の一例を示した。同じ接続配管径の各組から選択する程、組み合わせをしない場合より洗浄効果は高いことが示されている。また、暖房運転をすると、配管内径の細い第１の接続配管Ｃ，Ｃｉでは冷媒の質量速度が大きく、非常に高い洗浄効果が得られる。一方、第２の接続配管Ｄｉ，Ｄは配管内径が大きいため、冷媒の質量速度が小さいので、この点では洗浄効果が小さい。しかしながら、この流れ方向では第２の接続配管Ｄｉ，Ｄが第１の接続配管Ｃ，Ｃｉよりも上流にあり、冷媒の温度が高いため、鉱油への冷媒の溶解度が高くなり、鉱油の粘度が小さくなることで、冷媒に引きずり易くなり、洗浄効果が高くなる。
【００８６】
（３）第３の制御方法
実施の形態１の冷凍サイクル装置の洗浄運転の第３の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、各室内機Ｂｉのうち、実質的に同じ接続配管長さの各組から選択された室内機Ｂｉの第５の電磁弁１８ａｉだけを開弁し、残りの室内機Ｂｉの第５の電磁弁１８ａｉを閉弁すると、開弁した配管にすべての冷媒が流れるので、その室内機Ｂｉには十分な質量速度の冷媒が確保される。
【００８７】
他の組の第５の電磁弁１８ａｉについても同様に室内機Ｂｉ毎に順次開弁していくことで、すべての室内機Ｂｉに洗浄に十分な質量速度の冷媒が確保されることになり、鉱油は十分に洗浄される。さらに、第1，第２の接続配管のｉ番目の分岐配管Ｃｉ，Ｄｉの残留異物のばらつきも無くなり、洗浄時間も短くなる。
これは、洗浄運転の冷媒の流れ方向が、第1の制御方法と同じ場合でも、第２の制御方法と同じ場合でも同様である。
既に説明したように、図７に複数並列接続された配管の組み合わせ方法による洗浄時間と配管内鉱油残留量との関係の一例を示した。同じ接続配管長さの各組から選択する程、組み合わせをしない場合より、洗浄効果は高いことが示されている。
【００８８】
（４）第４の制御方法
実施の形態１の冷凍サイクル装置の洗浄運転の第４の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、各室内機Ｂｉのうち、実質的に同じ接続配管径でかつ同じ長さの各組から選択された室内機Ｂｉの第５の電磁弁１８ａｉだけを開弁し、残りの室内機Ｂｉの第５の電磁弁１８ａｉを閉弁すると、開弁した配管にすべての冷媒が流れるので、その室内機Ｂｉには十分な質量速度の冷媒が確保される。
【００８９】
他の組の第５の電磁弁１８ａｉについても同様に室内機Ｂｉ毎に順次開弁していくことで、すべての室内機Ｂｉに洗浄に十分な質量速度の冷媒が確保されることになり、鉱油は十分に洗浄される。さらに、第1，第２の接続配管のｉ番目の分岐配管Ｃｉ，Ｄｉの残留異物のばらつきも無くなり、洗浄時間も短くなる。
これは、洗浄運転の冷媒の流れ方向が、第1の制御方法と同じ場合でも、第２の制御方法と同じ場合でも同様である。
既に説明したように、図７に複数並列接続された配管の組み合わせ方法による洗浄時間と配管内鉱油残留量との関係の一例を示した。同じ接続配管径でかつ同じ接続配管長さの各組から選択する程、組み合わせをしない場合より、洗浄効果は高いことが示されている。
【００９０】
（５）第５の制御方法
実施の形態１の冷凍サイクル装置の洗浄運転の第５の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、各室内機Ｂｉの接続配管の配管径、長さとも異なる場合、近接する接続配管径もしくは接続配管長さ、又はその両方の各組から選択された室内機Ｂｉの第５の電磁弁１８ａｉだけを開弁し、残りの室内機Ｂｉの第５の電磁弁１８ａｉを閉弁すると、開弁した配管にすべての冷媒が流れるので、その室内機Ｂｉには十分な質量速度の冷媒が確保される。
【００９１】
他の組の第５の電磁弁１８ａｉについても同様に室内機Ｂｉ毎に順次開弁していくことで、すべての室内機Ｂｉに洗浄に十分な質量速度の冷媒が確保されることになり、鉱油は十分に洗浄される。さらに、第1，第２の接続配管のｉ番目の分岐配管Ｃｉ，Ｄｉの残留異物のばらつきも無くなり、洗浄時間も短くなる。
これは、洗浄運転の冷媒の流れ方向が、第1の制御方法と同じ場合でも、第２の制御方法と同じ場合でも同様である。
【００９２】
上記の洗浄運転の制御方法において、洗浄冷媒の流れ方向は、第１の制御方法のように、第１の接続配管Ｃ、利用側熱交換器６及び第２の接続配管Ｄの順に新冷媒を流して洗浄するのが適切な場合がある。このようにすれば、第１の接続配管Ｃを上流に、第２の接続配管Ｄを下流にするので、第２の接続配管Ｄに多く分布している鉱油を第１の接続配管Ｃに混入させることなく異物補捉手段１３に回収することができる。
また、逆に、第２の制御方法のように、第２の接続配管Ｄ、利用側熱交換器６及び第１の接続配管Ｃの順に新冷媒を流して洗浄するのが適切な場合がある。このようにすれば、
第２の接続配管Ｄの方が第１の接続配管Ｃよりも上流にあり、冷媒の温度が高いため、鉱油への冷媒の溶解度が高くなり、鉱油の粘度が小さくなることで、洗浄効果が高くなる。また、配管内径の細い第１の接続配管Ｃでは冷媒の質量速度が大きく、非常に高い洗浄効果が得られる。
さらに、第１の接続配管Ｃ、利用側熱交換器６及び第２の接続配管Ｄの順に新冷媒を流して洗浄した後、流れ方向を逆にして第２の接続配管Ｄ、利用側熱交換器及び第１の接続配管Ｃの順に新冷媒を流して洗浄するのが適切な場合がある。このようにすれば、第２の接続配管Ｄに多く分布している鉱油を第１の接続配管Ｃに混入させることなく異物捕捉手段１３に回収し、その後に冷媒の質量速度、溶解度の面で洗浄効果の高い洗浄を行なうことになり、より高い洗浄効果が得られ洗浄時間も短くすることができる。
また、冷媒を所定値以上の質量速度で流通させると大きい洗浄効果が得られる。
【００９３】
また、既に説明したように、図７に複数並列接続された配管の組み合わせ方法による洗浄時間と配管内鉱油残留量との関係の一例を示した。近接する接続配管径もしくは接続配管長さ、又はその両方の場合も同様の効果を奏することは明らかである。
【００９４】
以上では、既存の旧冷媒を用いる冷凍サイクル装置の熱源機と室内機を、新冷媒を用いる熱源機Ａと室内機Ｂとに置換する場合について説明した。しかし、これは熱源機のみを置換し、室内機は既存のものを用いるようにしてもよい。
【００９５】
実施の形態２．
図８は、この発明の実施の形態２による冷凍サイクル装置の一例として、冷媒置換を行なう冷凍サイクル装置の冷媒回路を示す図である。図８において、符号Ｂ１〜Ｄ、１〜９及び８ａ、９ａは、実施の形態１と同様のものであるから、詳細な説明は省略する。
【００９６】
また、１２ａは高温高圧のガス冷媒を冷却・液化する冷却手段（冷却装置）、１２ｂは低圧二相冷媒をガス化する加熱手段（加熱装置）、１３は上記加熱手段１２ｂの出口部に直列に設けられた異物捕捉手段（異物捕捉装置）である。１４ａは上記異物捕捉手段１３の出口部に設けられた第１の電磁弁、１４ｂは上記加熱手段１２ｂの入口部に設けられた第２の電磁弁である。
【００９７】
１０は第１の切替弁であり、熱源機側熱交換器３の冷房運転時の出口端、四方弁２の暖房運転の出口端、上記冷却手段１２ａの入口端、上記電磁弁１４ａの出口端の４個所のうち、運転モードに応じて、以下のような接続切換を行なうものである。すなわち、冷房洗浄時には熱源側熱交換器３の冷房運転時の出口端と冷却手段１２ａの入口端とを接続し、かつ電磁弁１４ａの出口端と四方弁２の冷房運転時の入口端（暖房運転時の出口端）を接続する。また、暖房洗浄運転時には、四方弁２の暖房運転時の出口端と冷却手段１２ａの入口端とを接続し、かつ電磁弁１４ａの出口端と熱源機側熱交換器３の暖房運転時の入口端（冷房運転時の出口端）とを接続する。
【００９８】
１１は第２の切換弁であり、冷房洗浄運転時及び冷房通常運転時には、冷却手段１２ａの出口端を第１の操作弁４に接続し、暖房洗浄運転時及び暖房通常運転時には、冷却手段１２ａの出口端を第２の操作弁７に接続し、かつ、冷房洗浄運転時には電磁弁１４ｂの入口端を第２の操作弁７に接続し、暖房洗浄運転時には電磁弁１４ｂの入口端を第１の操作弁４に接続するものである。
【００９９】
１４ｃは第３の電磁弁であり、第１の切換弁１０の熱源機側熱交換器３への接続端と、第２の切換弁１１の第１の操作弁４への接続端との間を接続する配管途中に設けられた電磁弁である。
【０１００】
１４ｄは第４の電磁弁であり、第１の切換弁１０の四方弁２への接続端と、第２の切換弁１１の第２の操作弁７への接続端との間を接続する配管途中に設けられた電磁弁である。
【０１０１】
上記第１の切換弁１０は、熱源機側熱交換器３の冷房運転時の出口端から冷却手段１２ａの入口端への冷媒の流通は許容するが、その逆は許容しないように設けられた逆止弁１０ａ、四方弁２の暖房運転時の出口端から冷却手段１２ａの入口端への冷媒の流通は許容するがその逆は許容しないように設けられた逆止弁１０ｂ、第１の電磁弁１４ａの出口端から熱源機側熱交換器３の冷房運転時の出口端への冷媒の流通は許容するがその逆は許容しないように設けられた逆止弁１０ｃ、第１の電磁弁１４ａの出口端から四方弁２の暖房運転時の出口端への冷媒の流通は許容するがその逆は許容しないように設けられた逆止弁１０ｄより構成されているため、電気信号によらず各接続端の圧力により自己切替え可能な切換弁である。
【０１０２】
上記冷却手段１２ａの冷却源は、空気・水のいずれでもよく、上記加熱手段１２ｂの加熱源も空気・水のいずれでも、あるいはヒーターでもよい。また、冷却手段１２ａと加熱手段１２ｂは、第１の切換弁１０と第２の切換弁１１に挟まれた、高温高圧側の配管と低温低圧側の配管を熱的に接触させて、たとえば、二重管の外側配管として高温高圧側の配管、内側配管として低温低圧側の配管で構成することでもよい。すなわち、加熱手段１２ｂと冷却手段１２ａとの間で熱移動させてもよい。
【０１０３】
以上のような構成により、熱源機Ａは、油分離器９、分離油のバイパス路９ａ、冷却手段１２ａ、加熱手段１２ｂ、異物捕捉手段１３、第１の切換弁１０、第２の切換弁１１、第１の電磁弁１４ａ、第２の電磁弁１４ｂ、第３の電磁弁１４ｃ、第４の電磁弁１４ｄを内蔵している。
なお、加熱手段１２ｂ及び異物捕捉手段１３を含む冷媒回路部分を、本明細書では、第１のバイパス路とする。また、冷却手段１２ａを含む冷媒回路部分を、本明細書では、第２のバイパス路とする。
【０１０４】
また、Cｉ、Ｂｉ、Ｄｉはそれぞれｉ番目の利用側冷媒回路の第１の接続配管、室内機、第２の接続配管である。１８ａｉは、第ｉの接続配管Ｃｉと室内機Ｂｉとの間に設けられた第５の電磁弁である。
なお、この冷凍サイクル装置は冷媒としてＨＦＣ（新冷媒）を使うものである。
【０１０５】
冷凍サイクル装置交換の手順：
次に、ＣＦＣ、ＨＣＦＣ（旧冷媒）を使った冷凍サイクル装置が老朽化した場合の冷凍サイクル装置交換の手順を示す。既存の冷凍サイクル装置からＣＦＣ又はＨＣＦＣを回収し、熱源機Ａを図８に示すＨＦＣを用いるものに交換する。第１の接続配管Ｃ、室内機Ｂと第２の接続配管Ｄは、ＨＣＦＣを使った冷凍サイクル装置のものを再利用する。そして、図８に示す冷媒回路を形成する。
【０１０６】
熱源機Ａには予めＨＦＣが充填されているので、第１の操作弁４と第２の操作弁７は閉じたまま、室内機Ｂ、第１の接続配管Ｃ、第２の接続配管Ｄを接続状態で真空引きをし、その後第１の操作弁４と第２の操作弁７の開弁とＨＦＣの追加充填を実施する。その後、まず洗浄運転を実施し、その後通常の空調運転を実施する。
【０１０７】
洗浄運転の方法：
次に、洗浄運転の内容を図８に添って説明する。図中、実線矢印が冷房洗浄運転の流れを、破線矢印が暖房洗浄運転の流れを示す。洗浄運転においては、第３電磁弁１４ｃおよび第４の電磁弁１４ｄは閉じておく。
冷房洗浄運転：
まず、冷房洗浄運転の流れを説明する。洗浄運転開始前に、各室内機Ｂｉに設けられた制御基板上のマイコンにより各室内機Ｂｉの容量が分かり、その容量で利用側冷媒回路に接続された配管径がおおよそ予想でき、それぞれｉ番目の利用側冷媒回路に接続された配管径が一意的に求められる。ここで、求められた各室内機Ｂｉの配管径により実質的に同一の配管径のものを組として一纏めにして、その中の１組を選択する。選択された室内機Ｂｉの第５の電磁弁１８ａｉのみを開弁し、残りの室内機Ｂｉの第５の電磁弁を閉弁して洗浄運転を開始する。
【０１０８】
また、予め各室内機Ｂｉの接続配管の長さが分かっている場合も、上記同様に実質的に同一の配管長のものを組として一纏めにして、その中の１組を選択し、洗浄運転をする。
【０１０９】
まず、冷房洗浄運転の流れを説明する。圧縮機１で圧縮された高温高圧のガス冷媒は、ＨＦＣ用冷凍機油と共に圧縮機１を吐出され、油分離器９へ流入する。ここで、ＨＦＣ用冷凍機油は完全に分離され、ガス冷媒のみが四方弁２を経て、熱源機側熱交換器３へと流入し、ここで空気・水など熱源媒体と熱交換して凝縮液化する。
【０１１０】
ある程度凝縮液化した冷媒は第１の切換弁１０を経て冷却手段１２ａに流入し、ここで完全に凝縮液化して、第２の切換弁１１、第１の操作弁４を経て第１の接続配管Ｃに流入する。
ＨＦＣの液冷媒が第１の接続配管Ｃを流れるときに、第１の接続配管Ｃに残留しているＣＦＣ・ＨＣＦＣ・鉱油・鉱油劣化物（以下残留異物と称する）を少しずつ洗浄してＨＦＣの液冷媒と共に流れ、選択された各室内機Ｂｉの流量調整器５ｉへ流入し、ここで低圧まで減圧されて低圧二相状態となり、利用側熱交換器６で空気などの利用媒体と熱交換してある程度蒸発・ガス化する。
【０１１１】
ある程度蒸発・ガス化した気液二相状態の冷媒は第１の接続配管Ｃ、第1の接続配管のｉ番目の分岐配管Ｃｉ及びｉ番目の第２の接続配管Ｄｉの残留異物とともに第２の接続配管Ｄに流入する。第２の接続配管Ｄに残留している残留異物は、ここを流れる冷媒が気液二相状態のため、流速も速く、かつ液冷媒とともに、残留異物は洗浄され、第１の接続配管Ｃより速い速度で洗浄される。
【０１１２】
その後、ある程度蒸発・ガス化した気液二相状態の冷媒は、第１の接続配管Ｃ、第1の接続配管のｉ番目の分岐配管Ｃｉの残留異物とｉ番目の第２の接続配管Ｄｉ、第２の接続配管Ｄの残留異物と共に、第２の操作弁７、第２の切換弁１１、第２の電磁弁１４ｂを経て、加熱手段１２ｂへ流入し、ここで、完全に蒸発・ガス化され、異物捕捉手段１３へ流入する。
残留異物は、沸点の違いにより相が異なり、固体異物・液体異物・気体異物の３種類に分類される。異物捕捉手段１３では、固体異物と液体異物は完全にガス冷媒と分離され捕捉される。気体異物はその一部が捕捉され、一部は捕捉されない。
その後、ガス冷媒は、異物捕捉手段１３で捕捉されなかった気体異物と共に第１の電磁弁１４ａ、第１の切換弁１０、四方弁２、アキュムレータ８を経て圧縮機１に戻る。
【０１１３】
油分離器９で、ガス冷媒と完全に分離されたＨＦＣ用冷凍機油は、バイパス路９ａを経て、四方弁２の下流したがって異物捕捉手段１３の下流で本流と合流して、圧縮機１に戻るので、第１の接続配管Ｃや第２の接続配管Ｄに残留していた鉱油と混ざることはなく、ＨＦＣ用冷凍機油はＨＦＣに対して非相溶化することはなく、またＨＦＣ用冷凍機油は鉱油により劣化することはない。
【０１１４】
また、固形異物もＨＦＣ用冷凍機油と混合することはなく、ＨＦＣ用冷凍機油を劣化しない。また、気体異物はＨＦＣ冷媒が冷媒回路を１サイクル循環して、異物捕捉手段１３を１回通る間には一部が捕捉されるだけで、ＨＦＣ用冷凍機油と気体異物は混合されるが、ＨＦＣ用冷凍機油の劣化は化学反応で、急激には進まない。
【０１１５】
その劣化の一例を図２に示す。異物捕捉手段を１回通る間に捕捉されなかった気体異物は、ＨＦＣ冷媒の循環と共に何回も異物捕捉手段１３を通るので、ＨＦＣ用冷凍機油の劣化するよりも遅く、異物捕捉手段１３で捕捉すればよい。
【０１１６】
暖房洗浄運転：
次に暖房洗浄運転の流れを説明する。洗浄運転開始前に、各室内機Ｂｉに設けられた制御基板上のマイコンにより各室内機Ｂｉの容量が分かり、その容量で利用側冷媒回路に接続された配管径がおおよそ予想でき、それぞれｉ番目の利用側冷媒回路に接続された配管径が一意的に求められる。
ここで、求められた各室内機Ｂｉの配管径により実質的に同一の配管径のものを組として一纏めにして、その中の１組を選択する。選択された室内機Ｂｉの第５の電磁弁１８ａｉのみを開弁し、残りの室内機Ｂｉの第５の電磁弁を閉弁して洗浄運転を開始する。
【０１１７】
また、予め各室内機Ｂｉの接続配管の長さが分かっている場合も、上記同様に実質的に同一の配管長のものを組として一纏めにして、その中の１組を選択し、洗浄運転をする。
【０１１８】
圧縮機１で圧縮された高温高圧のガス冷媒はＨＦＣ用用冷凍機油と共に圧縮機１を吐出され、油分離器９へ流入する。ここで、ＨＦＣ用冷凍機油は完全に分離され、ガス冷媒のみが四方弁２、第１の切換弁１０を経て冷却手段１２ａへ流入する。
【０１１９】
ここで、ガス冷媒は冷却され、ある程度凝縮・液化された気液二相状態の冷媒は第２の切換弁１１、第２に操作弁７を経て第２の接続配管Ｄへ流入する。第２の接続配管Ｄに残留している残留異物は、ここを流れる冷媒が気液二相状態のため、流速も速く、かつ液冷媒とともに、残留異物は洗浄され、冷房運転時の第１の接続配管Ｃより速い速度で洗浄される。
【０１２０】
その後、ある程度凝縮・液化した冷媒は、第２の接続配管Ｄの残留異物と共に、選択されたＢｉの利用側熱交換器６ｉへと流入し、ここで空気など利用側媒体と熱交換して完全に凝縮液化する。凝縮液化した冷媒は流量調整器５ｉへ流入し、ここで低圧まで減圧されて低圧二相状態となり、第１の接続配管Ｃに流入する。気液二相状態のため、流速も速く、かつ液冷媒と共に、残留異物は洗浄され、冷房運転時の第１の接続配管Ｃ、利用側熱交換器６より速い速度で洗浄される。第２の接続配管Ｄ，Ｄｉ及び第1の接続配管Ｃｉ，Ｃから洗浄された異物と共に、気液二相状態の冷媒は、第１の操作弁４、第２の切換弁１１、第２の電磁弁１４ｂを経て、加熱手段１２ｂで加熱され、蒸発・ガス化され、異物捕捉手段１３へ流入する。
【０１２１】
残留異物は、沸点の違いにより相が異なり、固体異物・液体異物・気体異物の３種類に分類される。異物捕捉手段１３では、固体異物と液体異物は完全にガス冷媒と分離され捕捉される。気体異物はその一部が捕捉され、一部は捕捉されない。その後、ガス冷媒は、異物捕捉手段１３で捕捉されなかった気体異物と共に第１の切換弁１０、四方弁２を経て、熱源機側熱交換器３へ流入し、ここでは送風機などを停止して熱交換させずに通過させ、アキュムレータ８を経て圧縮機１へ戻る。
このような洗浄運転を他の組についても行い、室内機Ｂｉすべてについて同様の操作を行う。
【０１２２】
油分離器９で、ガス冷媒と完全に分離されたＨＦＣ用冷凍機油は、バイパス路９ａを経て、異物捕捉手段１３の下流で本流と合流して、圧縮機１に戻るので、第１の接続配管や第２の接続配管Ｄに残留していた鉱油と混ざることはなく、ＨＦＣ用冷凍機油はＨＦＣに対して非相溶化することはなく、またＨＦＣ用冷凍機油は鉱油により劣化することはない。
【０１２３】
また、固形異物もＨＦＣ用冷凍機油と混合することはなく、ＨＦＣ用冷凍機油を劣化しない。また、気体異物はＨＦＣ冷媒が冷媒回路を１サイクル循環して、異物捕捉手段１３を１回通る間には一部が捕捉されるだけで、ＨＦＣ用冷凍機油と気体異物は混合されるが、ＨＦＣ用冷凍機油の劣化は化学反応で、急激には進まない。
【０１２４】
その劣化の一例を図２に示す。異物捕捉手段を１回通る間に捕捉されなかった気体異物は、ＨＦＣ冷媒の循環と共に何回も異物捕捉手段１３を通るので、ＨＦＣ用冷凍機油の劣化するよりも遅く、異物捕捉手段１３で捕捉すればよい。
異物捕捉手段１３、油分離器９は、実施の形態１に示すものと全く同一のため、ここではその詳細な説明を省略する。
【０１２５】
通常空調運転：
次に、通常空調運転について、図９に添って説明する。図中、実線矢印が冷房洗浄運転の流れを、破線矢印が暖房洗浄運転の流れを示す。通常空調運転においては、第１の電磁弁１４ａ及び第２の電磁弁１４ｂは閉じておき、第３電磁弁１４ｃおよび第４の電磁弁１４ｄは開けておく。
【０１２６】
通常冷房運転：
まず、通常冷房運転の流れを説明する。圧縮機１で圧縮された高温高圧のガス冷媒は、ＨＦＣ用冷凍機油と共に圧縮機１を吐出され、油分離器９へ流入する。ここで、ＨＦＣ用冷凍機油は完全に分離され、ガス冷媒のみが四方弁２を経て、熱源機側熱交換器３へと流入し、ここで空気・水など熱源媒体と熱交換して凝縮液化する。
【０１２７】
凝縮液化した冷媒は、その大部分が第３の電磁弁１４ｃを経由し、一方、一部が第１の切換弁１０、冷却手段１２ａ、第２の切換弁１１を経由して、これらが合流後、第１の操作弁４を経て第１の接続配管Ｃ、第1の接続配管のｉ番目の分岐配管Ｃｉを経て、流量調整器５へ流入し、ここで低圧まで減圧されて低圧二相状態となり、利用側熱交換器６で空気などの利用媒体と熱交換してある程度蒸発・ガス化する。蒸発・ガス化した冷媒は第２の接続配管のｉ番目の分岐配管Ｄｉ、第２の接続配管Ｄ、第２の操作弁７、第４の電磁弁１４ｄ、四方弁２、アキュムレータ８を経て圧縮機１へ戻る。
【０１２８】
油分離器９で、ガス冷媒と完全に分離されたＨＦＣ用冷凍機油は、バイパス路９ａを経て、異物捕捉手段１３の下流で本流と合流して、圧縮機１に戻る。
【０１２９】
第１の電磁弁１４ａ、第２の電磁弁１４ｂは閉じられているので、異物捕捉手段１３は閉鎖空間として隔離されており、洗浄運転中に捕捉したい異物が、再び運転回路中に戻ることがない。また、実施の形態１と比べると、異物捕捉手段１３を経由しないため、圧縮機１の吸入圧力損失が小さく、能力の低下が小さい。
【０１３０】
通常暖房運転：
次に、通常暖房運転の流れを説明する。圧縮機１で圧縮された高温高圧のガス冷媒は、ＨＦＣ用冷凍機油と共に圧縮機１を吐出され、油分離器９へ流入する。ここで、ＨＦＣ用冷凍機油は完全に分離され、ガス冷媒のみが四方弁２を経て、大部分が第４の電磁１４ｄを経由する。一方、一部が第１の切換弁１０、冷却手段１２ａ、第２の切換弁１１を経由して、これらが合流後第２の操作弁７に流入し、第２の接続配管Ｄ，Ｄｉを経て、利用側熱交換器６へと流入し、ここで空気など利用側媒体と熱交換して凝縮液化する。
【０１３１】
凝縮液化した冷媒は流量調整器５へ流入し、ここで低圧まで減圧されて低圧二相状態となり、第1の接続配管Ｃｉ，Ｃ、第１の操作弁４、第３の電磁弁１４ｃを経て、熱源側熱交換器３で空気・水などの熱源媒体と熱交換して蒸発・ガス化する。蒸発・ガス化した冷媒は四方弁２、アキュムレータ８を経て圧縮機１へ戻る。
【０１３２】
油分離器９で、ガス冷媒と完全に分離されたＨＦＣ用冷凍機油は、バイパス路９ａを経て、圧縮機１へ戻る。
【０１３３】
第１の電磁弁１４ａ、第２の電磁弁１４ｂは閉じられているので、異物捕捉手段１３は閉鎖空間として隔離されており、洗浄運転中に捕捉した異物が、再び運転回路中に戻ることがない。また、実施の形態１と比べると、異物捕捉手段１３を経由しないため、圧縮機１の吸入圧力損失が小さく、能力の低下が小さい。
【０１３４】
以上のように、油分離器９と異物捕捉手段１３を熱源機Ａに内蔵することで、熱源機Ａのみを新規に交換し、室内機Ｂ、第１の接続配管Ｃと第２の接続配管Ｄを交換しないで、老朽化したＣＦＣ、ＨＣＦＣを用いた冷凍サイクル装置に入れ替えることができる。
このような方法によれば、既設配管再利用方法として、前記の従来の洗浄方法１とは違って、洗浄装置を用いて専用の洗浄液（ＨＣＦＣ１４１ｂやＨＣＦＣ２２５）で洗浄するということをしないので、オゾン層破壊の可能性は全く無く、また可燃性・毒性も皆無で、洗浄液残留の懸念も無く、洗浄液を回収する必要も無い。
【０１３５】
また、前記の従来の洗浄方法２と違って、洗浄運転を３回繰り返してＨＦＣ冷媒やＨＦＣ用冷凍機油を３回入れ替える必要がないため、必要なＨＦＣや冷凍機油は１台分で済むためコスト・環境上有利である。また、交換用冷凍機油の管理も不要で、かつ冷凍機油過不足の危険性も全く発生しない。また、ＨＦＣ用冷凍機油の非相溶化や冷凍機油の劣化も無い。
【０１３６】
また、第５の電磁弁１８ａｉを設けたことで、各室内機Ｂｉの接続配管径、配管長が異なる場合でも、接続配管径もしくは接続配管長もしくはその両方を組として１台以上の室内機Ｂｉを一纏めにして、その中から選択された一組の室内機Ｂｉの第５の電磁弁１８ａｉのみを開弁し、残りの室内機Ｂｉの第５の電磁弁１８ａｉを閉弁すると、開弁した配管にすべての冷媒が流れるので、その室内機Ｂｉには洗浄するに十分な質量速度が確保され、洗浄効果が高く、洗浄時間を短くすることが出来る。
【０１３７】
また、第１の電磁弁１４ａ、第２の電磁弁１４ｂ、第３の電磁弁１４ｃ、第４の電磁弁１４ｄを設けたことで、洗浄運転時には異物捕捉手段１３を通過して上記に示す洗浄効果を得つつ、洗浄運転後の通常時には、第１の電磁弁１４ａ、第２の電磁弁１４ｂは閉じて、異物捕捉手段１３は閉鎖空間として隔離されているので、洗浄運転中に捕捉した異物が、再び運転回路中に戻ることがない。また、実施の形態１と比べると、異物捕捉手段１３を経由しないため、圧縮機１の吸入圧力損失が小さく、能力の低下が小さい。
【０１３８】
また、冷却手段１２ａ、加熱手段１２ｂ、第１の切換弁１０、第２の切換弁１１を設けたので、冷房・暖房に関わらず、洗浄運転に第１の接続配管Ｃ、利用側熱交換器６と第２の接続配管Ｄに液冷媒又は気液二相冷媒が流れるので、残留異物を洗浄するのに、洗浄効果が高く、洗浄時間を短くすることができる。また、冷却手段１２ａ、加熱手段１２ｂにより熱交換量を制御できるので、外気温度や室内の負荷に関係なく、任意の条件にほぼ同一の洗浄運転が可能で、効果・手間が一定化する。
【０１３９】
この実施の形態では、熱源機側熱交換器３と直列または並列に氷蓄熱槽や水蓄熱槽（湯を含む）が設置されても同様の効果を奏することは明らかである。また、熱源機Ａが複数台並列に接続された冷凍サイクル装置においても同様の効果を奏することは明らかである。
また、冷凍サイクル装置に限らず、蒸気圧縮式の冷凍サイクル応用品で、熱源機側熱交換器３が内蔵されたユニットと利用側熱交換器６が内蔵されたユニットが離れて設置されるものであれば、同様の効果を奏することは明らかである。
【０１４０】
以上説明した実施の形態２の構成の一側面を要約すると次の通りである。
この冷凍サイクル装置は、圧縮機から熱源機側熱交換器と流量調整器と利用側熱交換器とアキュムレータとを順次に経て上記圧縮機に冷媒を循環させる第１の冷媒回路と、上記圧縮機から上記利用側熱交換器と流量調整器と上記熱源機側熱交換器と上記アキュムレータとを順次に経て上記圧縮機に冷媒を循環させる第２の冷媒回路とを備えている。
さらに、上記第１の冷媒回路の上記利用側熱交換器と上記アキュムレータの間の冷媒回路をバイパスし、かつ、上記第２の冷媒回路の上記流量調整器と上記熱源機側熱交換器との間の冷媒回路をバイパスすると共に、冷媒中の異物を捕獲する異物捕捉手段を有する第１バイパス路を備えている。さらに、上記第１の冷媒回路の上記圧縮機と上記熱源機側熱交換器との間に、冷媒の油成分を分離する油分離手段を備えている。さらに、上記第１の冷媒回路の上記熱源側熱交換器と上記流量調整器との間に、各室内機への冷媒の切換えを行う第５の電磁弁を有する冷媒切換え手段を備えている。
【０１４１】
洗浄運転の制御方法：
次に、この実施の形態２による冷凍サイクル装置について、冷媒置換後の洗浄運転の制御方法について説明する。
（１）第１の制御方法
実施の形態２の冷凍サイクル装置の洗浄運転の第１の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、冷房運転実施する。
この第１の制御方法では、選択された室内機Ｂｉについて、図８の実線矢印のように、圧縮機１を駆動源して、冷媒を圧縮機１から第1の接続配管Ｃに通した後、第２の接続配管Ｄへ通し、さらに異物捕捉手段１３とアキュムレータ８を経て圧縮機1へと流して洗浄する。さらに、同様の操作を他の組の室内機Ｂｉについて行う。
【０１４２】
以上のように、室内機Ｂｉが複数台並列接続された場合には、第1および第２の接続配管のｉ番目の分岐配管Ｃｉ，Ｄｉに供給する冷媒が気液二相状態の場合、各室内機Ｂｉに分岐する分岐部で、気液が偏って分配されるのが一般的である。したがって、ある室内機Ｂｉには洗浄に十分な質量速度の冷媒が確保されるが、別の室内機Ｂｉには洗浄に十分な質量速度の冷媒が確保されないということが発生し得る。
【０１４３】
そこで、各室内機Ｂｉのうち、実質的に同じ接続配管径の各組から選択された１台以上の室内機Ｂｉの第５の電磁弁１８ａｉだけを開弁し、残りの室内機Ｂｉの第５の電磁弁１８ａｉを閉弁すると、開弁した配管にすべての冷媒が流れるので、その室内機Ｂｉには十分な質量速度の冷媒が確保される。他の組の第５の電磁弁１８ａｉについても同様に室内機Ｂｉ毎に順次開弁していくことで、すべての室内機Ｂｉに洗浄に十分な質量速度の冷媒が確保されることになり、第１、第２の接続配管Ｃ，Ｄの鉱油は十分に洗浄される。さらに、第1，第２の接続配管のｉ番目の分岐配管Ｃｉ，Ｄｉの残留異物のばらつきも無くなり、洗浄時間も短くなる。
【０１４４】
ＨＦＣ冷媒の一種であるＲ４０７Ｃを液または気液二相状態で複数並列接続された配管内の鉱油を洗浄した場合の組み合わせ方法による洗浄時間と配管内残留量の関係を図７に示す。図７において、横軸は洗浄時間、縦軸は配管内鉱油残留量を示す。この図７からも分かるように、同じ接続配管径の各組から選択する程、組み合わせをしない場合より洗浄効果は高いことが示されている。
【０１４５】
また、冷媒交換前のＣＦＣやＨＣＦＣを使った冷凍サイクル装置では、第１の接続配管Ｃ、第1の接続配管のｉ番目の分岐配管Ｃｉは冷房運転でも暖房運転でも液冷媒単相状態もしくは気液二相状態であり、ここには鉱油はあまりたくさん分布していない。
一方、第２の接続配管Ｄ、第２の接続配管のｉ番目の分岐配管Ｄｉは、冷房運転でも暖房運転でもガス単相状態であり、鉱油は液膜状に管壁内部をガス冷媒に引きずられるように流れるため、ここには鉱油が多く分布する。したがって、前述のように洗浄運転の最初に第１の接続配管Ｃを上流に、第２の接続配管Ｄを下流になるようにすることで、第２の接続配管Ｄ，Ｄｉに多く分布している鉱油を第１の接続配管Ｃに混入させることなく、異物補捕捉手段１３に回収することができる。
これにより、洗浄時間が短くできる上に、第１、第２の接続配管Ｃ、Ｄに残留する鉱油の量を低減することができる。
【０１４６】
（２）第２の制御方法
実施の形態２の冷凍サイクル装置の洗浄運転の第２の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、暖房運転実施する。
この第２の制御方法では、接続配管径により選択された室内機Ｂｉについて、図８の破線矢印のように、圧縮機１を駆動源して、冷媒を圧縮機１から第２の接続配管Ｄへ通した後、第1の接続配管Ｃに通し、熱源機側熱交換器３を経てさらに異物捕捉手段１３とアキュムレータ８を経て圧縮機1へと流して洗浄する。さらに、同様の操作を他の組の室内機Ｂｉについて行う。
【０１４７】
以上のように、室内機Ｂｉが複数台並列接続された場合には、第1および第２の接続配管のｉ番目の分岐配管Ｃｉ，Ｄｉに供給する冷媒が気液二相状態の場合、各室内機Ｂｉに分岐する分岐部で、気液が偏って分配されるのが一般的である。したがって、ある室内機Ｂｉには洗浄に十分な質量速度の冷媒が確保されるが、別の室内機Ｂｉには洗浄に十分な質量速度の冷媒が確保されないということが発生し得る。
【０１４８】
そこで、選択された室内機Ｂｉの第５の電磁弁１８ａｉだけを開弁し、残りの室内機Ｂｉの第５の電磁弁１８ａｉを閉弁すると、開弁した配管にすべての冷媒が流れるので、その室内機Ｂｉには十分な質量速度の冷媒が確保される。
他の組の第５の電磁弁１８ａｉについても同様に室内機Ｂｉ毎に順次開弁していくことで、すべての室内機Ｂｉに洗浄に十分な質量速度の冷媒が確保されることになり、第１、第２の接続配管Ｃ，Ｄの鉱油は十分に洗浄される。さらに、第1，第２の接続配管のｉ番目の分岐配管Ｃｉ，Ｄｉの残留異物のばらつきも無くなり、洗浄時間も短くなる。
【０１４９】
この第２の制御方法では、第２の接続配管Ｄ，Ｄｉ、第１の接続配管Ｃｉ，Ｃの順に冷媒を流して洗浄することになる。
一般に、実施の形態２の図１に示す冷凍サイクル装置では、第1の接続配管のｉ番目の分岐配管Ｃｉの方が第２の接続配管のｉ番目の分岐配管Ｄｉより、また第１の接続配管Ｃの方が第２の接続配管Ｄよりも配管内径が小さい。これは、冷房運転において第２の接続配管Ｄｉ，Ｄでの摩擦損失の大小は蒸発温度に関係し冷房能力への影響が大きいため可能な限り太くするのに対して、第1の接続配管Ｃｉ，Ｃでの摩擦損失は蒸発温度や凝縮温度へ直接与える影響はなく、むしろここを流れる冷媒が液単相または気液二相であることから冷媒充填量を増加させない観点から可能な限り細くするためである。
【０１５０】
既に説明したように、図７に複数並列接続された配管の組み合わせ方法による洗浄時間と配管内鉱油残留量との関係の一例を示した。同じ接続配管径の各組から選択する程、組み合わせをしない場合より洗浄効果は高いことが示されている。したがって、暖房運転をすると、配管内径の細い第１の接続配管Ｃ，Ｃｉでは冷媒の質量速度が大きく、非常に高い洗浄効果が得られる。一方は、第２の接続配管Ｄｉ，Ｄは配管内径が大きいため、冷媒の質量速度が小さいので、この点では洗浄効果が小さい。しかしながら、この流れ方向では第２の接続配管Ｄｉ，Ｄが第１の接続配管Ｃ，Ｃｉよりも上流にあり、冷媒の温度が高いため、鉱油への冷媒の溶解度が高くなり、鉱油の粘度が小さくなることで、冷媒に引きずり易くなり、洗浄効果が高くなる。
【０１５１】
（３）第３の制御方法
実施の形態２の冷凍サイクル装置の洗浄運転の第３の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、各室内機Ｂｉのうち、実質的に同じ接続配管長さの各組から選択された室内機Ｂｉの第５の電磁弁１８ａｉだけを開弁し、残りの室内機Ｂｉの第５の電磁弁１８ａｉを閉弁する。このようにすると、開弁した配管にすべての冷媒が流れるので、その室内機Ｂｉには十分な質量速度の冷媒が確保される。
他の組の第５の電磁弁１８ａｉについても同様に室内機Ｂｉ毎に順次開弁していくことで、すべての室内機Ｂｉに洗浄に十分な質量速度の冷媒が確保されることになり、鉱油は十分に洗浄される。さらに、第1，第２の接続配管のｉ番目の分岐配管Ｃｉ，Ｄｉの残留異物のばらつきも無くなり、洗浄時間も短くなる。
これは、洗浄運転の冷媒の流れ方向が、第1の制御方法と同じ場合でも、第２の制御方法と同じ場合でも同様である。
既に説明したように、図７に複数並列接続された配管の組み合わせ方法による洗浄時間と配管内鉱油残留量との関係の一例を示した。同じ接続配管長さの各組から選択する程、組み合わせをしない場合より、洗浄効果は高いことが示されている。
【０１５２】
（４）第４の制御方法
実施の形態２の冷凍サイクル装置の洗浄運転の第４の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、各室内機Ｂｉのうち、実質的に同じ接続配管径でかつ同じ長さの各組から選択された室内機Ｂｉの第５の電磁弁１８ａｉだけを開弁し、残りの室内機Ｂｉの第５の電磁弁１８ａｉを閉弁する。このようにすると、開弁した配管にすべての冷媒が流れるので、その室内機Ｂｉには十分な質量速度の冷媒が確保される。
【０１５３】
他の組の第５の電磁弁１８ａｉについても同様に室内機Ｂｉ毎に順次開弁していくことで、すべての室内機Ｂｉに洗浄に十分な質量速度の冷媒が確保されることになり、鉱油は十分に洗浄される。さらに、第1，第２の接続配管のｉ番目の分岐配管Ｃｉ，Ｄｉの残留異物のばらつきも無くなり、洗浄時間も短くなる。
これは、洗浄運転の冷媒の流れ方向が、第1の制御方法と同じ場合でも、第２の制御方法と同じ場合でも同様である。
既に説明したように、図７に複数並列接続された配管の組み合わせ方法による洗浄時間と配管内鉱油残留量との関係の一例を示した。同じ接続配管径でかつ同じ接続配管長さの各組から選択する程、組み合わせをしない場合より、洗浄効果は高いことが示されている。
【０１５４】
（５）第５の制御方法
実施の形態２の冷凍サイクル装置の洗浄運転の第５の制御方法としては、ＣＦＣやＨＣＦＣ等（旧冷媒）を使った冷媒回路（冷凍サイクル装置）の熱源機Ａ及び室内機ＢをＨＦＣ（新冷媒）を用いたものと置換し、さらにＨＦＣを追加充填した後、各室内機Ｂｉの接続配管の配管径、長さとも異なる場合、近接する接続配管径もしくは接続配管長さ、又はその両方の各組から選択された室内機Ｂｉの第５の電磁弁１８ａｉだけを開弁し、残りの室内機Ｂｉの第５の電磁弁１８ａｉを閉弁する。このようにすると、開弁した配管にすべての冷媒が流れるので、その室内機Ｂｉには十分な質量速度の冷媒が確保される。
【０１５５】
他の組の第５の電磁弁１８ａｉについても同様に室内機Ｂｉ毎に順次開弁していくことで、すべての室内機Ｂｉに洗浄に十分な質量速度の冷媒が確保されることになり、鉱油は十分に洗浄される。さらに、第1，第２の接続配管のｉ番目の分岐配管Ｃｉ，Ｄｉの残留異物のばらつきも無くなり、洗浄時間も短くなる。
これは、洗浄運転の冷媒の流れ方向が、第1の制御方法と同じ場合でも、第２の制御方法と同じ場合でも同様である。
【０１５６】
上記の洗浄運転の制御方法において、洗浄冷媒の流れ方向は、第１の制御方法のように、第１の接続配管Ｃ、利用側熱交換器６及び第２の接続配管Ｄの順に新冷媒を流して洗浄するのが適切な場合がある。また、逆に、第２の制御方法のように、第２の接続配管Ｄ、利用側熱交換器６及び第１の接続配管Ｃの順に新冷媒を流して洗浄するのが適切な場合がある。さらに、第１の接続配管Ｃ、利用側熱交換器６及び第２の接続配管Ｄの順に新冷媒を流して洗浄した後、流れ方向を逆にして第２の接続配管Ｄ、利用側熱交換器及び第１の接続配管Ｃの順に新冷媒を流して洗浄するのが適切な場合がある。
【０１５７】
また、既に説明したように、図７に複数並列接続された配管の組み合わせ方法による洗浄時間と配管内鉱油残留量との関係の一例を示した。近接する接続配管径もしくは接続配管長さ、又はその両方の場合も同様の効果を奏することは明らかである。
【０１５８】
以上では、既存の旧冷媒を用いる冷凍サイクル装置の熱源機を、新冷媒を用いる熱源機Ａに置換し、室内機は既存のものを用いる場合について説明した。しかし、これは熱源機と室内機とを置換するようにしてもよい。
【０１５９】
実施の形態３．
図１０は、この発明の実施の形態３による冷凍サイクル装置の一例として、冷媒置換を行なった冷凍サイクル装置の冷媒回路を示す図である。図１０において、１９は、熱源機Ａの熱源機側熱交換器３の熱交換用空気の流通路すなわち吸い込み口または吹出し口もしくはその両方に設けられた塞ぎ材を示し、空気流通路を開閉できるように構成されている。符号Ｂ〜Ｄ、１〜９及び８ａ、９ａは、実施の形態１及び２で説明したものと同様のものであるから、詳細の説明は省略する。図１０の冷媒回路においては、実施の形態１，２で示したような第５の電磁弁１８ａが無く（図１、図８参照）、室内機Ｂが１台、したがって利用側冷媒回路部分が１系統設置された場合を示している。
【０１６０】
冷凍サイクル装置交換の手順：
ＣＦＣ、ＨＣＦＣ（旧冷媒）を使った冷凍サイクル装置が老朽化した場合の冷凍サイクル装置交換の手順を説明する。既存の冷凍サイクル装置からＣＦＣ又はＨＣＦＣを回収し、熱源機Ａと室内機Ｂを図１０に示すＨＦＣを用いるものに交換する。第１の接続配管Ｃと第２の接続配管Ｄは、ＨＣＦＣを使った冷凍サイクル装置のものを再利用する。そして、図１０に示す冷媒回路を形成する。
【０１６１】
熱源機Ａには予めＨＦＣが充填されているので、第１の操作弁４と第２の操作弁７は閉じたまま、室内機Ｂ、第１の接続配管Ｃ、第２の接続配管Ｄを接続状態で真空引きをし、その後第１の操作弁４と第２の操作弁７の開弁とＨＦＣの追加充填を実施する。その後、まず洗浄運転を実施し、その後通常の空調運転を実施する。
【０１６２】
洗浄運転の方法：
次に、洗浄運転の内容を図１０に添って説明する。図中、実線矢印が冷房洗浄運転の流れを、破線矢印が暖房洗浄運転の流れを示す。
【０１６３】
（１）第１の洗浄方法
実施の形態３の冷凍サイクル装置の洗浄運転時の第１の洗浄方法としては、ＣＦＣやＨＣＦＣを使った冷媒サイクル装置の熱源機Ａ及び室内機ＢをＨＦＣを用いたものに置換し、さらにＨＦＣの追加充填をした後、＜洗浄運転のステップＡとして、＞冷房洗浄運転を実施する。
この第１の洗浄方法では、図１０の実線矢印に示すように、圧縮機1を駆動源にして、冷媒を圧縮機１から第１の接続配管Ｃへ通した後、第２の接続配管Ｄに通し、さらに異物捕捉手段１３を経て圧縮機１へと還流させて洗浄する。
【０１６４】
すなわち、この第１の洗浄方法では、第１の接続配管Ｃへ通した後、第２の接続配管Ｄの順に冷媒を流して洗浄することになる。
【０１６５】
熱源機Ａの外気温度が低い場合や風が強い場合（熱源機Ａは、屋上等に設置される場合が多く、地面よりも風が強いのが一般的である）などに、熱源機側熱交換器３で熱交換すると、冷媒が凝縮してしまい、液冷媒が熱源機側熱交換器３内に寝込むようになる為、配管内で冷媒不足が生じ、十分な質量速度の冷媒が確保されないということが発生する。
【０１６６】
そこで、熱源機側熱交換器３の吸い込み口もしくは吹出し口もしくはその両方を塞ぎ材１９で塞ぐことで、熱源機側熱交換器３で熱交換しなくなり、配管内で冷媒が不足することなく、洗浄に十分な質量速度の冷媒が確保されることになり、鉱油は十分に洗浄される。
ただし、熱源機Ａのその他の配管や第１の接続配管Ｃ、第２の接続配管Ｄは冷房洗浄運転に支障をきたさない程度に熱交換しており、冷房洗浄運転後、塞ぎ材１９は外しておく。
【０１６７】
（２）第２の洗浄方法
実施形態３の冷凍サイクル装置の洗浄運転時の第２の洗浄方法としては、ＣＦＣやＨＣＦＣを使った冷媒サイクル装置の熱源機Ａ及び室内機ＢをＨＦＣを用いたものに置換し、さらにＨＦＣの追加充填をした後、暖房洗浄運転を実施する。この第２の洗浄方法では、図１０の破線矢印に示すように、圧縮機1を駆動源にして、冷媒を圧縮機１から第２の接続配管Ｄへ通した後、第１の接続配管Ｃに通し、さらに異物捕捉手段１３を経て圧縮機１へと還流させて洗浄する。
【０１６８】
すなわち、この第２の洗浄方法では、第２の接続配管Ｄへ通した後、第１の接続配管Ｃの順に冷媒を流して洗浄することになる。
【０１６９】
熱源機Ａの外気温度が低い場合や風が強い場合（熱源機Ａは、屋上等に設置される場合が多く、地面よりも風が強いのが一般的である）などに、熱源機側熱交換器３で熱交換すると、冷媒が凝縮してしまい、液冷媒が熱源機側熱交換器３内に寝込むようになる為、配管内で冷媒不足が生じ、十分な質量速度の冷媒が確保されないということが発生する。
【０１７０】
そこで、熱源機側熱交換器３の吸い込み口もしくは吹出し口もしくはその両方を塞ぎ材１９で塞ぐことで、熱源機側熱交換器３で熱交換しなくなり、配管内で冷媒が不足することなく、洗浄に十分な質量速度の冷媒が確保されることになり、鉱油は十分に洗浄される。
ただし、熱源機Ａのその他の配管や第１の接続配管Ｃ、第２の接続配管Ｄは暖房洗浄運転に支障をきたさない程度に熱交換しており、冷房洗浄運転後、塞ぎ材１９は外しておく。
【０１７１】
上記の洗浄運転の制御方法において、洗浄冷媒の流れ方向は、第１の制御方法のように、第１の接続配管Ｃ、利用側熱交換器６及び第２の接続配管Ｄの順に新冷媒を流して洗浄するのがよい場合がある。また、逆に、第２の制御方法のように、第２の接続配管Ｄ、利用側熱交換器６及び第１の接続配管Ｃの順に新冷媒を流して洗浄するのがよい場合がある。さらに、第１の接続配管Ｃ、利用側熱交換器６及び第２の接続配管Ｄの順に新冷媒を流して洗浄した後、流れ方向を逆にして第２の接続配管Ｄ、利用側熱交換器及び第１の接続配管Ｃの順に新冷媒を流して洗浄するのがよい場合がある。
【０１７２】
この実施の形態では、室内機Ｂが１台接続された例について説明したが、室内機Ｂが並列または直列に複数台接続された冷凍サイクル装置でも同様の効果を奏することは言うまでもない。また、実施の形態１，２で示したような第５の電磁弁１８ａを備えていると好適である。
また、熱源機側熱交換器３と直列または並列に氷蓄熱槽や水蓄熱槽（油を含む）が設置されていても同様の効果を奏することは明らかである。
【０１７３】
以上では、既存の旧冷媒を用いる冷凍サイクル装置の熱源機と室内機を、新冷媒を用いる熱源機Ａと室内機Ｂとに置換する場合について説明した。しかし、これは熱源機のみを置換し、室内機は既存のものを用いるようにしてもよい。
なお、本実施の形態４のように、熱源機側熱交換器３の吸い込み口もしくは吹出し口もしくはその両方に塞ぎ材１９を設けることは、実施の形態１および２の発明についても適用可能である。
【０１７４】
実施の形態４．
図１１は、この発明の実施の形態４による冷凍サイクル装置の一例として、冷媒置換を行なう冷凍サイクル装置の冷媒回路を示す図である。図１１において、２０は、熱源機Ａの熱源側熱交換器３をバイパスするバイパス冷媒回路の電磁弁であり、一端が油分離器９に通じる冷媒配管に接続されており、他の一端は第１の接続配管Ｃに通じる冷媒配管に接続されている。電磁弁２０は開閉制御可能であり、バイパス路を開閉する。また、図１１において、符号Ｂ〜Ｄ、１〜９及び８ａ、９ａは、実施の形態１及び２で説明したものと同様のものであるから、詳細な説明は省略する。図１１の冷媒回路においては、実施の形態１，２で示したような第５の電磁弁１８ａが無く（図１、図８参照）、室内機Ｂが１台、したがって利用側冷媒回路部分が１系統設置された場合を示している。
【０１７５】
（１）第１の洗浄方法
この第１の洗浄方法では、図１１の実線矢印に示すように、圧縮機1を駆動源にして、冷媒を圧縮機１から第１の接続配管Ｃへ通した後、第２の接続配管Ｄに通し、さらに異物捕捉手段１３を経て圧縮機１へと還流させて洗浄する。
したがって、この第１の洗浄方法では、第１の接続配管Ｃへ通した後、第２の接続配管Ｄの順に冷媒を流して洗浄することになる。
【０１７６】
熱源機Ａの外気温度が低い場合や風が強い場合（熱源機Ａは、屋上等に設置される場合が多く、地面よりも風が強いのが一般的である）などに、熱源機側熱交換器３で熱交換すると、冷媒が凝縮してしまい、液冷媒が熱源機側熱交換器３内に寝込むようになる為、配管内で冷媒不足が生じ、十分な質量速度の冷媒が確保されないということが発生する。
【０１７７】
そこで、熱源機側熱交換器３をバイパスする電磁弁２０を開弁することで、熱源機側熱交換器３で熱交換しなくなり、配管内で冷媒が不足することなく、洗浄に十分な質量速度の冷媒が確保されることになり、鉱油は十分に洗浄される。
ただし、熱源機Ａのその他の配管や第１の接続配管Ｃ、第２の接続配管Ｄは冷房洗浄運転に支障をきたさない程度に熱交換しており、冷房洗浄運転後、バイパス電磁弁２０は閉弁しておく。
【０１７８】
（２）第２の洗浄方法
実施形態４の冷凍サイクル装置の洗浄運転時の第２の洗浄方法としては、ＣＦＣやＨＣＦＣを使った冷媒サイクル装置の熱源機Ａ及び室内機ＢをＨＦＣを用いたものに置換し、さらにＨＦＣの追加充填をした後、暖房洗浄運転を実施する。
この第２の洗浄方法では、図１１の破線矢印に示すように、圧縮機1を駆動源にして、冷媒を圧縮機１から第２の接続配管Ｄへ通した後、第１の接続配管Ｃに通し、さらに異物捕捉手段１３を経て圧縮機１へと還流させて洗浄する。
したがって、この第２の洗浄方法では、第２の接続配管Ｄへ通した後、第１の接続配管Ｃの順に冷媒を流して洗浄することになる。
【０１７９】
熱源機Ａの外気温度が低い場合や風が強い場合（熱源機Ａは、屋上等に設置される場合が多く、地面よりも風が強いのが一般的である）などに、熱源機側熱交換器３で熱交換すると、冷媒が凝縮してしまい、液冷媒が熱源機側熱交換器３内に寝込むようになる為、配管内で冷媒不足が生じ、十分な質量速度の冷媒が確保されないということが発生する。
【０１８０】
そこで、熱源機側熱交換器３をバイパスする電磁弁２０を開弁することで、熱源機側熱交換器３で熱交換しなくなり、配管内で冷媒が不足することなく、洗浄に十分な質量速度の冷媒が確保されることになり、鉱油は十分に洗浄される。
ただし、熱源機Ａのその他の配管や第１の接続配管Ｃ、第２の接続配管Ｄは暖房洗浄運転に支障をきたさない程度に熱交換しており、冷房洗浄運転後、バイパス電磁弁２０は閉弁しておく。
【０１８１】
上記の洗浄運転の制御方法において、洗浄冷媒の流れ方向は、第１の制御方法のように、第１の接続配管Ｃ、利用側熱交換器６及び第２の接続配管Ｄの順に新冷媒を流して洗浄するのがよい場合がある。また、逆に、第２の制御方法のように、第２の接続配管Ｄ、利用側熱交換器６及び第１の接続配管Ｃの順に新冷媒を流して洗浄するのがよい場合がある。さらに、第１の接続配管Ｃ、利用側熱交換器６及び第２の接続配管Ｄの順に新冷媒を流して洗浄した後、流れ方向を逆にして第２の接続配管Ｄ、利用側熱交換器及び第１の接続配管Ｃの順に新冷媒を流して洗浄するのがよい場合がある。
【０１８２】
また、この実施の形態では、室内機Ｂが１台接続された例について説明したが、室内機Ｂが並列または直列に複数台接続された冷凍サイクル装置でも同様の効果を奏することは言うまでもない。
また、熱源機側熱交換器３と直列または並列に氷蓄熱槽や水蓄熱槽（油を含む）が設置されていても同様の効果を奏することは明らかである。
【０１８３】
以上では、既存の旧冷媒を用いる冷凍サイクル装置の熱源機と室内機を、新冷媒を用いる熱源機Ａと室内機Ｂとに置換する場合について説明した。しかし、これは熱源機のみを置換し、室内機は既存のものを用いるようにしてもよい。
なお、本実施の形態４のように、熱源側熱交換器３をバイパスする電磁弁２０を設けることは、実施の形態１および２の発明についても適用可能である。
【０１８４】
【発明の効果】
本発明は以上のように構成されており、以下のような効果を奏する。
本願の請求項１の発明によれば、旧冷媒を用いる冷凍サイクル装置を新冷媒を用いる冷凍サイクル装置に置換する方法において、利用側冷媒回路部分の接続配管が実質的に同径のものを組とし、冷媒置換後に圧縮機を駆動源として複数の利用側冷媒回路部分を組毎に選択して、熱源側熱交換器と利用側熱交換器とを接続する第１の接続配管、室内機、利用側熱交換器と圧縮機とを接続する第２の接続配管に新冷媒を流して洗浄運転する。これにより、接続配管などの残留している旧冷媒並びに鉱油及び鉱油劣化物を分離・捕獲し、環境上問題の無いとされる新冷媒に置換することができる。
【０１８５】
また、本願の請求項２の発明によれば、旧冷媒を用いる冷凍サイクル装置を新冷媒を用いる冷凍サイクル装置に置換する方法において、利用側冷媒回路部分の接続配管が同じ長さのものを組とし、冷媒置換後に圧縮機を駆動源として複数の利用側冷媒回路部分を組毎に選択して、熱源側熱交換器と利用側熱交換器とを接続する第１の接続配管、室内機、利用側熱交換器と圧縮機とを接続する第２の接続配管に新冷媒を流して洗浄運転する。これにより、接続配管などの残留している旧冷媒並びに鉱油及び鉱油劣化物を分離・捕獲し、環境上問題の無いとされる新冷媒に置換することができる。
【０１８６】
また、本願の請求項３の発明によれば、旧冷媒を用いる冷凍サイクル装置を新冷媒を用いる冷凍サイクル装置に置換する方法において、利用側冷媒回路部分の接続配管が同径でかつ同じ長さのものを組とし、冷媒置換後に圧縮機を駆動源として複数の利用側冷媒回路部分を組毎に選択して、熱源側熱交換器と利用側熱交換器とを接続する第１の接続配管、室内機、利用側熱交換器と圧縮機とを接続する第２の接続配管に新冷媒を流して洗浄運転する。これにより、接続配管などの残留している旧冷媒並びに鉱油及び鉱油劣化物を分離・捕獲し、環境上問題の無いとされる新冷媒に置換することができる。
【０１８７】
また、本願の請求項４の発明によれば、旧冷媒を用いる冷凍サイクル装置を新冷媒を用いる冷凍サイクル装置に置換する方法において、利用側冷媒回路部分の接続配管の長さ、配管径とも異なる場合、近接する配管径のものを組とし、冷媒置換後に上記圧縮機を駆動源として複数の利用側冷媒回路部分を組毎に選択して、熱源側熱交換器と利用側熱交換器とを接続する第１の接続配管、室内機、利用側熱交換器と圧縮機とを接続する第２の接続配管に新冷媒を流して洗浄運転する。これにより、接続配管などの残留している旧冷媒並びに鉱油及び鉱油劣化物を分離・捕獲し、環境上問題の無いとされる新冷媒に置換することができる。
【０１８８】
また、本願の請求項５の発明によれば、旧冷媒を用いる冷凍サイクル装置を新冷媒を用いる冷凍サイクル装置に置換する方法において、熱源機側熱交換器に塞ぎ材を取り付け、冷媒置換後に圧縮機を駆動源として、熱源側熱交換器と利用側熱交換器とを接続する第１の接続配管、室内機、利用側熱交換器と圧縮機とを接続する第２の接続配管に新冷媒を流して洗浄運転をする。これにより、接続配管などの残留している旧冷媒並びに鉱油及び鉱油劣化物を分離・捕獲し、環境上問題の無いとされる新冷媒に置換することができる。
【０１８９】
また、本願の請求項６の発明によれば、旧冷媒を用いる冷凍サイクル装置を新冷媒を用いる冷凍サイクル装置に置換する方法において、熱源機側熱交換器をバイパスするバイパス路を備え、冷媒置換後に圧縮機を駆動源として、熱源側熱交換器と利用側熱交換器とを接続する第１の接続配管、室内機、利用側熱交換器と圧縮機とを接続する第２の接続配管に新冷媒を流して洗浄運転をする。これにより、接続配管などの残留している旧冷媒並びに鉱油及び鉱油劣化物を分離・捕獲し、環境上問題の無いとされる新冷媒に置換することができる。
【０１９０】
また、本願の請求項７〜９の発明によれば、上記の冷凍サイクル装置の洗浄運転方法において、洗浄運転の冷媒の流れを適宜選択し、最適な洗浄をすることができる。
【０１９１】
また、本願の請求項１０、１１の発明によれば、熱源機を新規に交換して、あるいは、熱源機と室内機を新規に交換して、上記冷凍サイクル装置の洗浄運転方法にて洗浄した後、旧冷媒並びに鉱油及び鉱油劣化物を分離・捕獲し、空調能力を十分発揮できる冷凍サイクル装置が得られる。
【図面の簡単な説明】
【図１】  本発明の実施の形態１による冷凍サイクル装置の一例として、冷凍サイクル装置の冷媒回路を示す図。
【図２】  ＨＦＣ用冷凍機油に塩素が混入している場合（１７５℃）の劣化の時間変化を示す図。
【図３】  本発明におけ異物捕捉手段の一例を示す断面図。
【図４】  鉱油とＣＦＣとの溶解度曲線、及び鉱油とＨＣＦＣとの溶解度曲線を示す図。
【図５】  本発明における油分離器の一例の構造を示す断面図。
【図６】  油分離器におけるガス冷媒の流速と分離効率の関係を示す図。
【図７】  複数の室内機の組み合わせ方法による洗浄時間と配管内残油量の関係を示す図。
【図８】  本発明の実施の形態２による冷凍サイクル装置の一例として、冷凍サイクル装置の冷媒回路を示す図。
【図９】  本発明の実施の形態２による冷凍サイクル装置の通常空調運転の状態を示す図。
【図１０】  本発明の実施の形態３による冷凍サイクル装置の一例として、冷凍サイクル装置の冷媒回路を示す図。
【図１１】  本発明の実施の形態４による冷凍サイクル装置の一例として、冷凍サイクル装置の冷媒回路を示す図。
【図１２】  従来のセパレータ型の冷凍サイクル装置の冷媒回路を示す図。
【図１３】  鉱油混入時のＨＦＣ用冷凍機油とＨＦＣ冷媒との溶解性を示す臨海溶解度曲線を示す図。
【図１４】  従来の冷凍サイクルの洗浄方法を説明する図。
【符号の説明】
Ａ：熱源機、  Ｂ：室内機、  Ｃ：第１の接続配管、  Ｄ：第２の接続配管、１：圧縮機、  ２：四方弁、  ３：熱源機側熱交換器、  ４：第１の操作弁、５：流量調整器、  ６：利用側熱交換器、  ７：第２の操作弁、  ８：アキュムレータ、  ９：油分離器、  １０：第１の切換弁、  １１：第２の切換弁、  １２ａ：冷却手段、  １２ｂ：加熱手段、  １３：異物捕捉手段、  １４ａ〜ｄ：第１〜４の電磁弁、  １８ａ：第５の電磁弁、  １９：塞ぎ材、  ２０：バイパス電磁弁、  ５１：容器、  ５２：流出配管、  ５５ａ：流入配管の流出穴、５３：フィルタ、  ５４：鉱油、  ５５：流入配管、  ５６  イオン交換樹脂。
【図１】
0004409075.tif 000002
【図２】
0004409075.tif 000003
【図３】
0004409075.tif 000004
【図４】
0004409075.tif 000005
【図５】
0004409075.tif 000006
【図６】
0004409075.tif 000007
【図７】
0004409075.tif 000008
【図８】
0004409075.tif 000009
【図９】
0004409075.tif 000010
【図１０】
0004409075.tif 000011
【図１１】
0004409075.tif 000012
【図１２】
0004409075.tif 000013
【図１３】
0004409075.tif 000014
【図１４】
0004409075.tif 000015